(57)【要約】  ワイヤレス通信システムにおけるフラクショナルサブシステムに関するスケーリング調整を行うための方法、システム、およびデバイスについて説明する。フラクショナル帯域幅システムに関連するスケーリングの影響を処理するために、たとえば、いくつかのサービス品質（ＱｏＳ）要件を維持するために、様々な調整が行われ得る。スケーリング調整は、フラクショナルサブシステムのためのスケーリングファクタと、フラクショナルサブシステムに関連するパラメータおよび／またはタイマーとを識別することを含み得る。スケーリングファクタに基づいてパラメータおよび／またはタイマーに関連する調整が判断され得る。少なくとも、フラクショナルサブシステムの一部分またはワイヤレス通信システムの別の部分のために、パラメータおよび／またはタイマーに関して調整が適用され得る。
2014533062.tif 000002
【特許請求の範囲】
【請求項１】
ワイヤレス通信システムにおけるフラクショナルサブシステムに関するスケーリング調整のための方法であって、前記方法が、
前記フラクショナルサブシステムのためのスケーリングファクタを識別することと、
前記フラクショナルサブシステムに関連する少なくともパラメータまたはタイマーを識別することと、
前記スケーリングファクタに基づいて少なくとも前記パラメータまたは前記タイマーに関連する調整を判断することと、
少なくとも、前記フラクショナルサブシステムの一部分または前記ワイヤレス通信システムの別の部分のために、少なくとも前記パラメータまたは前記タイマーに関して前記調整を適用することと
を備える、方法。
【請求項２】
少なくとも前記識別されたパラメータまたは前記識別されたタイマーに関して前記調整を適用することが、前記識別されたパラメータのタイムストレッチングを補償する、請求項１に記載の方法。
【請求項３】
前記調整を適用することが、少なくとも前記識別されたパラメータまたは前記タイマーを逆スケーリングすることを備える、請求項１に記載の方法。
【請求項４】
前記スケーリングファクタを利用して前記フラクショナルサブシステムに関連する少なくとも前記パラメータまたは前記タイマーをスケーリングすること
をさらに備える、請求項１に記載の方法。
【請求項５】
少なくとも前記パラメータまたは前記タイマーが前記フラクショナルサブシステムのエアインターフェースに関係する、請求項１に記載の方法。
【請求項６】
前記フラクショナルサブシステムの少なくとも他のパラメータまたは他のタイマーを識別することと、
少なくとも前記他のパラメータまたは前記他のタイマーに関して前記調整を控えることと
をさらに備える、請求項１に記載の方法。
【請求項７】
前記パラメータがＱｏＳパラメータを備える、請求項１に記載の方法。
【請求項８】
前記ＱｏＳパラメータが少なくともデータレートまたはエンドツーエンド遅延を備える、請求項７に記載の方法。
【請求項９】
前記調整を適用することが、スケーリングされたＱｏＳパラメータを生成するために、前記フラクショナルシステムに関連する前記スケーリングファクタを使用して前記ＱｏＳパラメータを調整することを備える、請求項７に記載の方法。
【請求項１０】
前記スケーリングされたＱｏＳパラメータに基づいてＱｏＳ構成を基地局とネゴシエートすること
をさらに備える、請求項９に記載の方法。
【請求項１１】
前記スケーリングされたＱｏＳパラメータに基づいて要求を送信すること
をさらに備える、請求項９に記載の方法。
【請求項１２】
前記スケーリングされたＱｏＳパラメータに基づいて応答を送信すること
をさらに備える、請求項９に記載の方法。
【請求項１３】
前記スケーリングされたＱｏＳパラメータが、前記フラクショナルサブシステムにおけるサブスクライブされたＱｏＳと現在利用可能なＱｏＳのうちのより小さいほうである、請求項１１に記載の方法。
【請求項１４】
前記調整を適用することが、前記フラクショナルサブシステムの無線アクセス技術（ＲＡＴ）アプリケーションレイヤにおいて行われる、請求項１に記載の方法。
【請求項１５】
前記調整を適用することが、ＭＡＣレイヤにおいて行われる、請求項１に記載の方法。
【請求項１６】
モバイルデバイスがスケーリングされていないＱｏＳパラメータをサポートするサブスクリプションレートを有するかどうかを判断するために、基地局から前記スケーリングされていないＱｏＳパラメータを送信すること
をさらに備える、請求項１１に記載の方法。
【請求項１７】
前記調整を適用することは、
スケーリングされていないＱｏＳ構成を判断するために、スケーリングされたＱｏＳ構成を調整して戻すことと、
デバイスが前記スケーリングされていないＱｏＳ構成を与えられるかどうかを判断することと
をさらに備える、請求項１に記載の方法。
【請求項１８】
前記デバイスが前記スケーリングされていないＱｏＳ構成を与えられるかどうかを判断するために、１つまたは複数のＱｏＳ構成プロファイルを利用すること
をさらに備える、請求項１７に記載の方法。
【請求項１９】
前記パラメータが、少なくともスロットサイクルインデックス、スロットサイクル期間、データレート制御（ＤＲＣ）インデックス、パケットサイズ、またはデータソースチャネル（ＤＳＣ）長を備える、請求項１に記載の方法。
【請求項２０】
前記調整を適用することが、スケーリングされたスロットサイクル期間を生成するために、前記フラクショナルシステムに関連する前記スケーリングファクタを使用してスロットサイクル期間を調整することを備える、請求項１に記載の方法。
【請求項２１】
前記調整を適用することが、スケーリングされたスロットサイクルインデックスを生成するために、前記フラクショナルシステムに関連する前記スケーリングファクタを使用してスロットサイクルインデックスを調整することを備える、請求項１に記載の方法。
【請求項２２】
前記調整を適用することが、スケーリングされたデータレート測定ユニットを生成するために、前記フラクショナルシステムに関連する前記スケーリングファクタを使用してデータレート制御インデックス（ＤＲＸ）に関連するデータレート測定ユニットを調整することを備える、請求項１に記載の方法。
【請求項２３】
前記調整を適用することが、送信遅延をキャッピングするために、前記フラクショナルシステムに関連する前記スケーリングファクタに基づいてスロットパケットの数を調整することを備える、請求項１に記載の方法。
【請求項２４】
前記調整を適用することが、逆スケーリングされたデータソースチャネル（ＤＳＣ）長を生成するために、前記フラクショナルシステムに関連する前記スケーリングファクタの逆数を使用してＤＳＣ長を調整することを備える、請求項１に記載の方法。
【請求項２５】
前記ステップがモバイルデバイスによって実行される、請求項１に記載の方法。
【請求項２６】
前記ステップが少なくとも基地局またはコアネットワークによって実行される、請求項１に記載の方法。
【請求項２７】
ワイヤレス通信システムにおけるフラクショナルサブシステムに関するスケーリング調整のために構成されたワイヤレス通信システムであって、前記ワイヤレス通信システムが、
前記フラクショナルサブシステムのためのスケーリングファクタを識別するための手段と、
前記フラクショナルサブシステムに関連する少なくともパラメータまたはタイマーを識別するための手段と、
前記スケーリングファクタに基づいて少なくとも前記パラメータまたは前記タイマーに関連する調整を判断するための手段と、
少なくとも、前記フラクショナルサブシステムの一部分または前記ワイヤレス通信システムの別の部分のために、少なくとも前記パラメータまたは前記タイマーに関して前記調整を適用するための手段と
を備える、ワイヤレス通信システム。
【請求項２８】
前記調整を適用するための前記手段が、
少なくとも前記識別されたパラメータまたは前記タイマーを逆スケーリングするための手段
をさらに備える、請求項２７に記載のワイヤレス通信システム。
【請求項２９】
前記スケーリングファクタを利用して前記フラクショナルサブシステムに関連する少なくとも前記パラメータまたは前記タイマーをスケーリングするための手段
をさらに備える、請求項２７に記載のワイヤレス通信システム。
【請求項３０】
前記フラクショナルサブシステムの少なくとも他のパラメータまたは他のタイマーを識別するための手段と、
少なくとも前記他のパラメータまたは前記他のタイマーに関して前記調整を控えるための手段と
をさらに備える、請求項２７に記載のワイヤレス通信システム。
【請求項３１】
前記調整を適用するための前記手段が、
スケーリングされたＱｏＳパラメータを生成するために、前記フラクショナルシステムに関連する前記スケーリングファクタを使用してＱｏＳパラメータを調整するための手段
をさらに備える、請求項２７に記載のワイヤレス通信システム。
【請求項３２】
前記スケーリングされたＱｏＳパラメータに基づいてＱｏＳ構成を基地局とネゴシエートするための手段
をさらに備える、請求項３１に記載のワイヤレス通信システム。
【請求項３３】
前記スケーリングされたＱｏＳパラメータに基づいて要求を送信するための手段
をさらに備える、請求項３１に記載のワイヤレス通信システム。
【請求項３４】
前記スケーリングされたＱｏＳパラメータに基づいて応答を送信するための手段
をさらに備える、請求項３１に記載のワイヤレス通信システム。
【請求項３５】
前記調整を適用するための前記手段が、
前記フラクショナルサブシステムの無線アクセス技術（ＲＡＴ）アプリケーションレイヤにおいて前記調整を適用するための手段
をさらに備える、請求項２７に記載のワイヤレス通信システム。
【請求項３６】
前記調整を適用するための前記手段が、
ＭＡＣレイヤにおいて前記調整を適用するための手段
をさらに備える、請求項２７に記載のワイヤレス通信システム。
【請求項３７】
ワイヤレス通信システムにおけるフラクショナルサブシステムに関するスケーリング調整のために構成されたワイヤレス通信デバイスであって、前記ワイヤレス通信デバイスが、
前記フラクショナルサブシステムのためのスケーリングファクタを識別することと、
前記フラクショナルサブシステムに関連する少なくともパラメータまたはタイマーを識別することと、
前記スケーリングファクタに基づいて少なくとも前記パラメータまたは前記タイマーに関連する調整を判断することと、
少なくとも、前記フラクショナルサブシステムの一部分または前記ワイヤレス通信システムの別の部分のために、少なくとも前記パラメータまたは前記タイマーに関して前記調整を適用することと
を行うように構成された少なくとも１つのプロセッサ
を備える、ワイヤレス通信デバイス。
【請求項３８】
前記調整を適用するように構成された前記少なくとも１つのプロセッサは、
スケーリングされていないＱｏＳ構成を判断するために、スケーリングされたＱｏＳ構成を調整して戻すことと、
モバイルデバイスが前記スケーリングされていないＱｏＳ構成を与えられるかどうかを判断することと
を行うようにさらに構成された、請求項３７に記載のワイヤレス通信デバイス。
【請求項３９】
前記少なくとも１つのプロセッサは、
前記デバイスが前記スケーリングされていないＱｏＳ構成を与えられるかどうかを判断するために、１つまたは複数のＱｏＳ構成プロファイルを利用する
ようにさらに構成された、請求項３８に記載のワイヤレス通信デバイス。
【請求項４０】
前記調整を適用するように構成された前記少なくとも１つのプロセッサが、
スケーリングされたスロットサイクル期間を生成するために、前記フラクショナルシステムに関連する前記スケーリングファクタを使用してスロットサイクル期間を調整する
ようにさらに構成された、請求項３７に記載のワイヤレス通信デバイス。
【請求項４１】
前記調整を適用するように構成された前記少なくとも１つのプロセッサが、
スケーリングされたスロットサイクルインデックスを生成するために、前記フラクショナルシステムに関連する前記スケーリングファクタを使用してスロットサイクルインデックスを調整する
ようにさらに構成された、請求項３７に記載のワイヤレス通信デバイス。
【請求項４２】
前記調整を適用するように構成された前記少なくとも１つのプロセッサが、
スケーリングされたデータレート測定ユニットを生成するために、前記フラクショナルシステムに関連する前記スケーリングファクタを使用してデータレート制御インデックス（ＤＲＸ）に関連するデータレート測定ユニットを調整する
ようにさらに構成された、請求項３７に記載のワイヤレス通信デバイス。
【請求項４３】
前記調整を適用するように構成された前記少なくとも１つのプロセッサが、
送信遅延をキャッピングするために、前記フラクショナルシステムに関連する前記スケーリングファクタに基づいてスロットパケットの数を調整する
ようにさらに構成された、請求項３７に記載のワイヤレス通信デバイス。
【請求項４４】
前記調整を適用するように構成された前記少なくとも１つのプロセッサが、
逆スケーリングされたデータソースチャネル（ＤＳＣ）長を生成するために、前記フラクショナルシステムに関連する前記スケーリングファクタの逆数を使用してＤＳＣ長を調整する
ようにさらに構成された、請求項３７に記載のワイヤレス通信デバイス。
【請求項４５】
ワイヤレス通信システムにおけるフラクショナルサブシステムに関するスケーリング調整のためのコンピュータプログラム製品であって、
前記フラクショナルサブシステムのためのスケーリングファクタを識別するためのコードと、
前記フラクショナルサブシステムに関連する少なくともパラメータまたはタイマーを識別するためのコードと、
前記スケーリングファクタに基づいて少なくとも前記パラメータまたは前記タイマーに関連する調整を判断するためのコードと、
少なくとも、前記フラクショナルサブシステムの一部分または前記ワイヤレス通信システムの別の部分のために、少なくとも前記パラメータまたは前記タイマーに関して前記調整を適用するためのコードと
を備える非一時的コンピュータ可読媒体
を備えるコンピュータプログラム製品。
【請求項４６】
前記非一時的コンピュータ可読媒体が、
スケーリングされたＱｏＳパラメータを生成するために、前記フラクショナルシステムに関連する前記スケーリングファクタを使用してＱｏＳパラメータを調整するためのコード
をさらに備える、請求項４５に記載のコンピュータプログラム製品。
【請求項４７】
前記非一時的コンピュータ可読媒体が、
前記スケーリングされたＱｏＳパラメータに基づいてＱｏＳ構成を基地局とネゴシエートするためのコード
をさらに備える、請求項４６に記載のコンピュータプログラム製品。
【請求項４８】
前記非一時的コンピュータ可読媒体は、
スケーリングされていないＱｏＳ構成を判断するために、スケーリングされたＱｏＳ構成を調整して戻すためのコードと、
デバイスが前記スケーリングされていないＱｏＳ構成を与えられるかどうかを判断するためのコードと
をさらに備える、請求項４６に記載のコンピュータプログラム製品。
【請求項４９】
前記非一時的コンピュータ可読媒体は、
前記デバイスが前記スケーリングされていないＱｏＳ構成を与えられるかどうかを判断するために、１つまたは複数のＱｏＳ構成プロファイルを利用するためのコード
をさらに備える、請求項４６に記載のコンピュータプログラム製品。
【請求項５０】
前記非一時的コンピュータ可読媒体が、
前記フラクショナルサブシステムの無線アクセス技術（ＲＡＴ）アプリケーションレイヤにおいて前記調整を適用するためのコード
をさらに備える、請求項４６に記載のコンピュータプログラム製品。
【発明の詳細な説明】
【技術分野】
【０００１】
相互関連出願
本特許出願は、本出願の譲受人に譲渡され、参照により本明細書に明確に組み込まれる、２０１１年１１月７日に出願された「FRACTIONAL SYSTEMS IN WIRELESS COMMUNICATIONS」と題する仮出願第６１／５５６，７７７号の優先権を主張する。
【背景技術】
【０００２】
ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、３ＧＰＰロングタームエボリューション（ＬＴＥ：Long Term Evolution）システム、および直交周波数分割多元接続（ＯＦＤＭＡ）システムがある。
【０００３】
概して、ワイヤレス多元接続通信システムは、各々が複数のモバイル端末のための通信を同時にサポートする、いくつかの基地局を含み得る。基地局は、ダウンストリームリンクおよびアップストリームリンク上でモバイル端末と通信し得る。場合によっては、ワイヤレス通信システムは、スペクトルの部分が標準波形を適合させるのに十分大きくないので、その部分を利用しないことがある。スペクトルのこれらのより小さい部分を利用するために新しい技法が開発され得る。しかしながら、現在のシステムがスケーリングされる場合、生じる追加の問題（たとえば、タイムストレッチング（time stretching））があり得る。
【発明の概要】
【０００４】
フラクショナル波形（fractional waveform）の使用に関連するタイムストレッチングの影響を反転させるかまたはスケーリングすることを可能にし得る方法、システム、および／またはデバイスが提供される。いくつかの実施形態では、フラクショナル波形は、通常波形よりも多くの帯域幅を占有し得るが、フラクショナル波形は、通常波形よりも少ない帯域幅を占有し得る波形である。たとえば、帯域エッジにおいて、通常波形を配置するのに十分な利用可能なスペクトルがないことがある。フラクショナル帯域幅システムでは、通常帯域幅（ＢＷ）システムと比較して、同数のシンボルおよびビットがより長い持続時間にわたって送信され得る。これは「タイムストレッチング」を生じ、それにより、スロット持続時間、フレーム持続時間がファクタＮで増加し、ただし、Ｎは、通常ＢＷとフラクショナルＢＷとの比である。したがって、フラクショナルＢＷシステムにおけるデータレートは（通常レート×１／Ｎ）であり、遅延は（通常遅延×Ｎ）である。したがって、アプリケーションは、フラクショナルＢＷシステムにおけるエアインターフェース上でより高いレートとより低い遅延とを要求する必要があり得る。しかしながら、アプリケーション／アプリケーションサーバが、通常ＢＷシステムに対してフラクショナルＢＷシステムを使用するために変更することは望ましくないことがある。したがって、ＱｏＳスケーリングを行う必要がある。同様に、ユーザエクスペリエンスを通常ＢＷシステムと同等に保つためにスロットサイクルインデックスおよびいくつかの他の時間敏感パラメータをスケーリングする必要があり得る。
【０００５】
フラクショナル帯域幅システムに関連するスケーリングの影響を処理するために、様々な調整が行われ得る。たとえば、いくつかのＱｏＳ要件を維持するために、いくつかの実施形態はフラクショナル帯域幅システムからのＱｏＳを利用し得る。タイムストレッチングにより、たとえば、フラクショナルシステムにおけるエアインターフェース上でより高いレートとより低い遅延とを要求することが必要になり得る。いくつかの実施形態は、より高いデータレートクラスまたはプロファイル、および／あるいはより低い遅延クラスまたはプロファイルを要求し得る。いくつかの実施形態では、モバイルデバイス上のアプリケーションまたはアプリケーションサーバは、これらのスケーリングされたＱｏＳ要件に基づいて要求を行い得る。しかしながら、アプリケーションおよび／またはアプリケーションサーバが、通常システムに対してフラクショナルシステムを使用するために変更することは望ましくないことがある。代わりに、いくつかの実施形態では、フラクショナルシステム（またはフラクショナルシステムのプロトコルレイヤ）がアプリケーションＱｏＳ要件をスケーリングし得る。
【０００６】
いくつかの実施形態は、ワイヤレス通信システムにおけるフラクショナルサブシステムに関するスケーリング調整のためのシステム、方法、および／またはデバイスを含む。たとえば、ワイヤレス通信システムにおけるフラクショナルサブシステムに関するパラメータおよび／またはタイマーをスケーリングするための方法が、フラクショナルサブシステムのためのスケーリングファクタを識別すること、フラクショナルサブシステムに関連するパラメータおよび／またはタイマーを識別すること、スケーリングファクタに基づいてパラメータおよび／またはタイマーに関連する調整を判断すること、ならびに／あるいは、少なくとも、フラクショナルサブシステムの一部分またはワイヤレス通信システムの別の部分のために、パラメータおよび／またはタイマーに関して調整を適用することを含み得る。
【０００７】
いくつかの実施形態は、ワイヤレス通信システムにおけるフラクショナルサブシステムに関するスケーリング調整のための方法を含む。本方法は、フラクショナルサブシステムのためのスケーリングファクタを識別すること、フラクショナルサブシステムに関連する少なくともパラメータまたはタイマーを識別すること、スケーリングファクタに基づいて少なくともパラメータまたはタイマーに関連する調整を判断すること、および／あるいは、少なくとも、フラクショナルサブシステムの一部分またはワイヤレス通信システムの別の部分のために、少なくともパラメータまたはタイマーに関して調整を適用することを含み得る。
【０００８】
少なくとも識別されたパラメータまたは識別されたタイマーに関して調整を適用することは、識別されたパラメータのタイムストレッチングを補償し得る。調整を適用することは、少なくとも識別されたパラメータまたはタイマーを逆スケーリングすることを含み得る。いくつかの実施形態は、スケーリングファクタを利用してフラクショナルサブシステムに関連する少なくともパラメータまたはタイマーをスケーリングすることを含み得る。いくつかの実施形態では、少なくともパラメータまたはタイマーはフラクショナルサブシステムのエアインターフェースに関係する。いくつかの実施形態は、フラクショナルサブシステムの少なくとも他のパラメータまたは他のタイマーを識別することを含み得る。少なくとも上記他のパラメータまたは上記他のタイマーに関する調整は控えられ得る。
【０００９】
いくつかの実施形態では、パラメータはＱｏＳパラメータを含む。ＱｏＳパラメータは、少なくともデータレートまたはエンドツーエンド遅延を含み得る。調整を適用することは、スケーリングされたＱｏＳパラメータを生成するために、フラクショナルシステムに関連するスケーリングファクタを使用してＱｏＳパラメータを調整することを含み得る。いくつかの実施形態は、スケーリングされたＱｏＳパラメータに基づいてＱｏＳ構成を基地局とネゴシエートすることを含み得る。いくつかの実施形態は、スケーリングされたＱｏＳパラメータに基づいて要求を送信することを含み得る。いくつかの実施形態は、スケーリングされたＱｏＳパラメータに基づいて応答を送信することを含み得る。スケーリングされたＱｏＳパラメータは、フラクショナルサブシステムにおけるサブスクライブされたＱｏＳと現在利用可能なＱｏＳのうちのより小さいほうであり得る。
【００１０】
いくつかの実施形態では、調整を適用することは、フラクショナルサブシステムの無線アクセス技術（ＲＡＴ）アプリケーションレイヤにおいて行われる。いくつかの実施形態では、調整を適用することは、ＭＡＣレイヤにおいて行われる。
【００１１】
いくつかの実施形態は、モバイルデバイスがスケーリングされていないＱｏＳパラメータをサポートするサブスクリプションレートを有するかどうかを判断するために、基地局からスケーリングされていないＱｏＳパラメータを送信することを含み得る。いくつかの実施形態では、調整を適用することは、スケーリングされていないＱｏＳ構成を判断するために、スケーリングされたＱｏＳ構成を調整して戻すこと、および／または、デバイスがスケーリングされていないＱｏＳ構成を与えられるかどうかを判断することを含む。いくつかの実施形態は、デバイスがスケーリングされていないＱｏＳ構成を与えられるかどうかを判断するために、１つまたは複数のＱｏＳ構成プロファイルを利用することを含み得る。
【００１２】
いくつかの実施形態では、パラメータは、少なくともスロットサイクルインデックス、スロットサイクル期間、データレート制御（ＤＲＣ：Data Rate Control）インデックス、パケットサイズ、またはデータソースチャネル（ＤＳＣ：Data Source Channel）長を含む。調整を適用することは、スケーリングされたスロットサイクル期間を生成するために、フラクショナルシステムに関連するスケーリングファクタを使用してスロットサイクル期間を調整することを含み得る。調整を適用することは、スケーリングされたスロットサイクルインデックスを生成するために、フラクショナルシステムに関連するスケーリングファクタを使用してスロットサイクルインデックスを調整することを含み得る。調整を適用することは、スケーリングされたデータレート測定ユニットを生成するために、フラクショナルシステムに関連するスケーリングファクタを使用してデータレート制御インデックス（ＤＲＸ：Data Rate Control Index）に関連するデータレート測定ユニットを調整することを含み得る。調整を適用することは、送信遅延をキャッピングするために、フラクショナルシステムに関連するスケーリングファクタに基づいてスロットパケットの数を調整することを含み得る。調整を適用することは、逆スケーリングされたデータソースチャネル（ＤＳＣ）長を生成するために、フラクショナルシステムに関連するスケーリングファクタの逆数を使用してＤＳＣ長を調整することを含み得る。
【００１３】
ワイヤレス通信システムにおけるフラクショナルサブシステムに関するスケーリング調整のための本方法は、いくつかの実施形態では、モバイルデバイスによって、基地局によって、および／またはコアネットワークによって実行され得る。ワイヤレス通信システムにおけるフラクショナルサブシステムに関するスケーリング調整のための本方法は、ワイヤレス通信システムによって、ワイヤレス通信デバイスによって、および／または本方法を実行するためのコードを含む非一時的コンピュータ可読媒体を含むコンピュータプログラム製品によって実行され得る。
【００１４】
いくつかの実施形態は、ワイヤレス通信システムにおけるフラクショナルサブシステムに関するスケーリング調整のために構成されたワイヤレス通信システムを含む。本ワイヤレス通信システムは、フラクショナルサブシステムのためのスケーリングファクタを識別するための手段、フラクショナルサブシステムに関連する少なくともパラメータまたはタイマーを識別するための手段、スケーリングファクタに基づいて少なくともパラメータまたはタイマーに関連する調整を判断するための手段、および／あるいは、少なくとも、フラクショナルサブシステムの一部分またはワイヤレス通信システムの別の部分のために、少なくともパラメータまたはタイマーに関して調整を適用するための手段を含み得る。
【００１５】
いくつかの実施形態では、調整を適用するための手段は、少なくとも識別されたパラメータまたはタイマーを逆スケーリングするための手段を含む。いくつかの実施形態では、本ワイヤレス通信システムは、スケーリングファクタを利用してフラクショナルサブシステムに関連する少なくともパラメータまたはタイマーをスケーリングするための手段を含む。いくつかの実施形態では、本ワイヤレス通信システムは、フラクショナルサブシステムの少なくとも他のパラメータまたは他のタイマーを識別するための手段、および／あるいは、少なくとも上記他のパラメータまたは上記他のタイマーに関して調整を控えるための手段を含む。
【００１６】
いくつかの実施形態では、調整を適用するための手段は、スケーリングされたＱｏＳパラメータを生成するために、フラクショナルシステムに関連するスケーリングファクタを使用してＱｏＳパラメータを調整するための手段を含む。いくつかの実施形態では、本ワイヤレス通信システムは、スケーリングされたＱｏＳパラメータに基づいてＱｏＳ構成を基地局とネゴシエートするための手段を含む。いくつかの実施形態では、本ワイヤレス通信システムは、スケーリングされたＱｏＳパラメータに基づいて要求を送信するための手段を含む。いくつかの実施形態では、本ワイヤレス通信システムは、スケーリングされたＱｏＳパラメータに基づいて応答を送信するための手段を含む。
【００１７】
調整を適用するための手段は、フラクショナルサブシステムの無線アクセス技術（ＲＡＴ）アプリケーションレイヤにおいて調整を適用するための手段を含み得る。調整を適用するための手段は、ＭＡＣレイヤにおいて調整を適用するための手段を含み得る。
【００１８】
いくつかの実施形態は、ワイヤレス通信システムにおけるフラクショナルサブシステムに関するスケーリング調整のために構成されたワイヤレス通信デバイスを含む。本ワイヤレス通信デバイスは、フラクショナルサブシステムのためのスケーリングファクタを識別すること、フラクショナルサブシステムに関連する少なくともパラメータまたはタイマーを識別すること、スケーリングファクタに基づいて少なくともパラメータまたはタイマーに関連する調整を判断すること、および／あるいは、少なくとも、フラクショナルサブシステムの一部分またはワイヤレス通信システムの別の部分のために、少なくともパラメータまたはタイマーに関して調整を適用することを行うように構成された少なくとも１つのプロセッサを含み得る。
【００１９】
いくつかの実施形態では、調整を適用するように構成された少なくとも１つのプロセッサは、スケーリングされていないＱｏＳ構成を判断するために、スケーリングされたＱｏＳ構成を調整して戻すこと、および／または、モバイルデバイスがスケーリングされていないＱｏＳ構成を与えられるかどうかを判断することを行うように構成され得る。少なくとも１つのプロセッサは、デバイスがスケーリングされていないＱｏＳ構成を与えられるかどうかを判断するために、１つまたは複数のＱｏＳ構成プロファイルを利用するように構成され得る。
【００２０】
いくつかの実施形態では、調整を適用するように構成された少なくとも１つのプロセッサは、スケーリングされたスロットサイクル期間を生成するために、フラクショナルシステムに関連するスケーリングファクタを使用してスロットサイクル期間を調整するように構成され得る。調整を適用するように構成された少なくとも１つのプロセッサは、スケーリングされたスロットサイクルインデックスを生成するために、フラクショナルシステムに関連するスケーリングファクタを使用してスロットサイクルインデックスを調整するように構成され得る。調整を適用するように構成された少なくとも１つのプロセッサは、スケーリングされたデータレート測定ユニットを生成するために、フラクショナルシステムに関連するスケーリングファクタを使用してデータレート制御インデックス（ＤＲＸ）に関連するデータレート測定ユニットを調整するように構成され得る。調整を適用するように構成された少なくとも１つのプロセッサは、送信遅延をキャッピングするために、フラクショナルシステムに関連するスケーリングファクタに基づいてスロットパケットの数を調整するように構成され得る。調整を適用するように構成された少なくとも１つのプロセッサは、逆スケーリングされたデータソースチャネル（ＤＳＣ）長を生成するために、フラクショナルシステムに関連するスケーリングファクタの逆数を使用してＤＳＣ長を調整するように構成され得る。
【００２１】
いくつかの実施形態は、フラクショナルサブシステムのためのスケーリングファクタを識別するためのコード、フラクショナルサブシステムに関連する少なくともパラメータまたはタイマーを識別するためのコード、スケーリングファクタに基づいて少なくともパラメータまたはタイマーに関連する調整を判断するためのコード、および／あるいは、少なくとも、フラクショナルサブシステムの一部分またはワイヤレス通信システムの別の部分のために、少なくともパラメータまたはタイマーに関して調整を適用するためのコードを含み得る非一時的コンピュータ可読媒体を含む、ワイヤレス通信システムにおけるフラクショナルサブシステムに関するスケーリング調整のためのコンピュータプログラム製品を含む。
【００２２】
非一時的コンピュータ可読媒体は、スケーリングされたＱｏＳパラメータを生成するために、フラクショナルシステムに関連するスケーリングファクタを使用してＱｏＳパラメータを調整するためのコードを含み得る。非一時的コンピュータ可読媒体は、スケーリングされたＱｏＳパラメータに基づいてＱｏＳ構成を基地局とネゴシエートするためのコードを含み得る。非一時的コンピュータ可読媒体は、スケーリングされていないＱｏＳ構成を判断するために、スケーリングされたＱｏＳ構成を調整して戻すためのコード、および／または、デバイスがスケーリングされていないＱｏＳ構成を与えられるかどうかを判断するためのコードを含み得る。非一時的コンピュータ可読媒体は、デバイスがスケーリングされていないＱｏＳ構成を与えられるかどうかを判断するために、１つまたは複数のＱｏＳ構成プロファイルを利用するためのコードを含み得る。非一時的コンピュータ可読媒体は、フラクショナルサブシステムの無線アクセス技術（ＲＡＴ）アプリケーションレイヤにおいて調整を適用するためのコードを含み得る。
【００２３】
上記では、以下の発明を実施するための形態がより良く理解され得るように、開示による例の特徴および技術的利点についてやや広く概説した。以下で、追加の特徴および利点について説明する。開示する概念および具体例は、本開示の同じ目的を実行するための他の構造を変更または設計するための基礎として容易に利用され得る。そのような等価な構成は、添付の特許請求の範囲の趣旨および範囲から逸脱しない。本明細書で開示する概念を特徴づけると考えられる特徴は、それらの編成と動作方法の両方に関して、関連する利点とともに、添付の図に関連して以下の説明を検討するとより良く理解されよう。図の各々は、例示および説明のみの目的で提供され、特許請求の範囲の限界を定めるものではない。
【００２４】
以下の図面を参照すれば、本発明の性質および利点のさらなる理解が得られ得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが明細書において使用される場合、その説明は、第２の参照ラベルにかかわらず、同じ第１の参照ラベルを有する同様の構成要素のうちのいずれか１つに適用可能である。
【図面の簡単な説明】
【００２５】
【図１】様々な実施形態によるワイヤレス通信システムのブロック図。
【図２Ａ】様々な実施形態による、フラクショナル波形が、通常波形を適合させるのに十分広くないスペクトルの一部分に適合する、ワイヤレス通信システムの一例を示す図。
【図２Ｂ】様々な実施形態による、フラクショナル波形が、帯域のエッジの近くのスペクトルの一部分に適合する、ワイヤレス通信システムの一例を示す図。
【図３】様々な実施形態によるシステムクロックレジームの一例を示す図。
【図４Ａ】様々な実施形態による、プロトコルレイヤにわたる異なる時間の感覚（sense of time）の例を示す図。
【図４Ｂ】様々な実施形態による、プロトコルレイヤにわたる異なる時間の感覚の例を示す図。
【図４Ｃ】様々な実施形態による、プロトコルレイヤにわたる異なる時間の感覚の例を示す図。
【図５】様々な実施形態による、サービス品質（「ＱｏＳ」）スケーリングを実装するために異なるプロトコルレイヤがどのように利用され得るかの一例を示す図。
【図６】様々な実施形態によるワイヤレス通信システムの一例を示す図。
【図７】モバイルデバイスと、基地局と、コアネットワークとを含む通信図。
【図８】様々な実施形態による、モバイルデバイスと、基地局と、コアネットワークとを含む通信図。
【図９】様々な実施形態による、モバイルデバイスと、基地局と、コアネットワークとを含む通信図。
【図１０Ａ】スロットサイクルと期間との間の関係を反映し得るテーブルを示す図。
【図１０Ｂ】様々な実施形態による、異なるスロットサイクルインデックスまたは期間スケーリングを反映するテーブルを示す図。
【図１０Ｃ】様々な実施形態による、異なるスロットサイクルインデックスまたは期間スケーリングを反映するテーブルを示す図。
【図１１】様々な実施形態による、スケーリング調整を含むフラクショナル帯域幅機能を含むデバイスのブロック図。
【図１２】様々な実施形態による、フラクショナル帯域幅を利用するように構成されたモバイルデバイスのブロック図。
【図１３】様々な実施形態による、フラクショナル波形を利用するために構成され得る通信システムのブロック図。
【図１４】様々な実施形態による、基地局とモバイルデバイスとを含むワイヤレス通信システムのブロック図。
【図１５】様々な実施形態による、ワイヤレス通信システムにおけるフラクショナルサブシステムに関するパラメータをスケーリングするための方法の流れ図。
【図１６】様々な実施形態による、フラクショナルサブシステムに関するＱｏＳを実装するための方法の流れ図。
【図１７】様々な実施形態による、フラクショナルサブシステムに関するＱｏＳを実装するための方法の流れ図。
【発明を実施するための形態】
【００２６】
実施形態は、フラクショナル波形の使用に関連するタイムストレッチングの影響を反転させるかまたはスケーリングすることを可能にし得る方法、システム、および／またはデバイスを提供する。いくつかの実施形態では、フラクショナル波形は、通常波形よりも多くの帯域幅を占有し得るが、フラクショナル波形は、通常波形よりも少ない帯域幅を占有し得る波形である。たとえば、帯域エッジにおいて、通常波形を配置するのに十分な利用可能なスペクトルがないことがある。フラクショナル帯域幅システムでは、通常帯域幅（ＢＷ）システムと比較して、同数のシンボルおよびビットがより長い持続時間にわたって送信され得る。これは「タイムストレッチング」を生じ、それにより、スロット持続時間、フレーム持続時間などがファクタＮで増加し得、ただし、Ｎは、通常ＢＷとフラクショナルＢＷとの比である。したがって、フラクショナルＢＷシステムにおけるデータレートは（通常レート×１／Ｎ）であり、遅延は（通常遅延×Ｎ）である。したがって、アプリケーションは、フラクショナルＢＷシステムにおけるエアインターフェース上でより高いレートとより低い遅延とを要求する必要があり得る。しかしながら、アプリケーション／アプリケーションサーバが、通常ＢＷシステムに対してフラクショナルＢＷシステムを使用するために変更することは望ましくないことがある。したがって、ＱｏＳスケーリングを行う必要があり得る。同様に、ユーザエクスペリエンスを通常ＢＷシステムと同等に保つためにスロットサイクルインデックスおよびいくつかの他の時間敏感パラメータをスケーリングする必要があり得る。
【００２７】
フラクショナル帯域幅システムに関連するスケーリングの影響を処理するために、様々な調整が行われ得る。たとえば、いくつかのＱｏＳ要件を維持するために、いくつかの実施形態はフラクショナル帯域幅システムからのＱｏＳを利用し得る。タイムストレッチングにより、たとえば、フラクショナルシステムにおけるエアインターフェース上でより高いレートとより低い遅延とを要求することが必要になり得る。いくつかの実施形態では、モバイルデバイス上のアプリケーションまたはアプリケーションサーバは、たとえば、これらのスケーリングされたＱｏＳ要件に基づいて要求を行い得る。しかしながら、アプリケーションおよび／またはアプリケーションサーバが、通常システムに対してフラクショナルシステムを使用するために変更することは望ましくないことがある。代わりに、いくつかの実施形態では、フラクショナルシステム（またはフラクショナルシステムのプロトコルレイヤ）がアプリケーションＱｏＳ要件をスケーリングし得る。
【００２８】
いくつかの実施形態は、ワイヤレス通信システムにおけるフラクショナルサブシステムに関するスケーリング調整のためのシステム、方法、および／またはデバイスを含む。たとえば、ワイヤレス通信システムにおけるフラクショナルサブシステムに関する１つまたは複数のパラメータおよび／またはタイマーに関するスケーリング調整のための方法が、フラクショナルサブシステムのためのスケーリングファクタを識別すること、フラクショナルサブシステムに関連するパラメータおよび／またはタイマーを識別すること、スケーリングファクタに基づいてパラメータおよび／またはタイマーに関連する調整を判断すること、ならびに／あるいは、少なくとも、フラクショナルサブシステムの一部分またはワイヤレス通信システムの別の部分のために、パラメータおよび／またはタイマーに関して調整を適用することを含み得る。
【００２９】
本明細書で説明する技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムに使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ：Universal Terrestrial Radio Access）などの無線技術を実装し得る。ＣＤＭＡ２０００は、ＩＳ−２０００、ＩＳ−９５、ＩＳ−８５６規格、および後継規格をカバーし得る。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ）およびＬＴＥアドバンスト（ＬＴＥ−Ａ：LTE-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明する技法は、上記のシステムおよび無線技術、ならびに他のシステムおよび無線技術に使用され得る。
【００３０】
したがって、以下の説明は、例を与えるものであり、特許請求の範囲において記載される範囲、適用性、または構成を限定するものではない。本開示の趣旨および範囲から逸脱することなく、説明する要素の機能および構成において変更が行われ得る。様々な実施形態は、適宜に様々な手順または構成要素を省略、置換、または追加し得る。たとえば、説明する方法は、説明する順序とは異なる順序で実行され得、様々なステップが追加、省略、または組み合わせられ得る。また、いくつかの実施形態に関して説明する特徴は、他の実施形態において組み合わせられ得る。
【００３１】
最初に図１を参照すると、ブロック図に、様々な実施形態によるワイヤレス通信システム１００の一例が示されている。システム１００は、基地局１０５と、モバイルデバイス１１５と、基地局コントローラ１２０と、コアネットワーク１３０とを含む（いくつかの実施形態では、コントローラ１２０はコアネットワーク１３０に組み込まれ得、いくつかの実施形態では、コントローラ１２０は基地局１０５に組み込まれ得る）。システム１００は、複数のキャリア（異なる周波数の波形信号）上での動作をサポートし得る。マルチキャリア送信機は、複数のキャリア上で同時に被変調信号を送信することができる。各被変調信号は、符号分割多元接続（ＣＤＭＡ）信号、時分割多元接続（ＴＤＭＡ）信号、周波数分割多元接続（ＦＤＭＡ）信号、直交ＦＤＭＡ（ＯＦＤＭＡ）信号、シングルキャリアＦＤＭＡ（ＳＣ−ＦＤＭＡ）信号などであり得る。各被変調信号は、異なるキャリア上で送られ得、制御情報（たとえば、パイロット信号）、オーバーヘッド情報、データなどを搬送し得る。システム１００は、ネットワークリソースを効率的に割り当てることが可能なマルチキャリアＬＴＥネットワークであり得る。
【００３２】
モバイルデバイス１１５は、任意のタイプの移動局、モバイルデバイス、アクセス端末、加入者ユニット、またはユーザ機器であり得る。モバイルデバイス１１５は、セルラーフォンとワイヤレス通信デバイスとを含み得るが、携帯情報端末（ＰＤＡ）、スマートフォン、他のハンドヘルドデバイス、ネットブック、ノートブックコンピュータなどをも含み得る。したがって、モバイルデバイスという用語は、特許請求の範囲を含めて、以下で、任意のタイプのワイヤレスまたはモバイルの通信デバイスを含むものと広く解釈されたい。
【００３３】
基地局１０５は、基地局アンテナを介してモバイルデバイス１１５とワイヤレス通信し得る。基地局１０５は、複数のキャリアを介してコントローラ１２０の制御下でモバイルデバイス１１５と通信するように構成され得る。基地局１０５のサイトの各々は、それぞれの地理的エリアに通信カバレージを与えることができる。いくつかの実施形態では、基地局１０５は、ノードＢ、ｅノードＢ、ホームノードＢ、および／またはホームｅノードＢと呼ばれることがある。各基地局１０５のためのカバレージエリアは、ここでは、１１０−ａ、１１０−ｂ、または１１０−ｃとして識別される。基地局のためのカバレージエリアは、（図示されていないが、カバレージエリアの一部分のみを構成する）セクタに分割され得る。システム１００は、異なるタイプの基地局１０５（たとえば、マクロ基地局、マイクロ基地局、フェムト基地局、および／またはピコ基地局）を含み得る。本明細書で使用する「セル」という用語は、１）セクタ、または２）サイト（たとえば、基地局１０５）を指すことがある。したがって、「マクロセル」という用語は、１）マクロセルセクタ、２）マクロセル基地局（たとえば、マクロセル基地局１０５）、および／または３）マクロセルコントローラを指すことがある。したがって、「フェムトセル」という用語は、１）フェムトセルセクタ、または２）フェムトセル基地局（たとえば、フェムトセルアクセスポイント）を指すことがある。
【００３４】
以下の説明のために、モバイルデバイス１１５は、複数の基地局１０５によって可能にされるマクロネットワークまたは同様のネットワーク上で動作し得る（そのネットワークに「キャンプオン」している）。各基地局１０５は、比較的大きい地理的エリア（たとえば、半径数百メートルから数キロメートル）をカバーし得、サービスに加入している端末による無制限のアクセスを可能にし得る。また、モバイルデバイス１１５の一部分は、マクロセル基地局１０５のカバレージエリア内の、フェムトセルなど、より小さいエリア中で動作するように登録され得る（または場合によっては、動作することを可能にされ得る）。
【００３５】
モバイルデバイス１１５、基地局１０５、コアネットワーク１３０、および／またはコントローラ１２０など、システム１００の異なる態様は、様々な実施形態によれば、フラクショナル帯域幅とフラクショナル波形とを利用するように構成され得る。システム１００は、たとえば、モバイルデバイス１１５と基地局１０５との間の送信１２５を示す。送信１２５は、モバイルデバイス１１５から基地局１０５へのアップリンク送信、および／または基地局１０５からモバイルデバイス１１５へのダウンリンク送信を含み得る。送信１２５はフラクショナル波形および／または通常波形を含み得る。通常波形はレガシー波形および／または標準波形と呼ばれることもある。
【００３６】
システム１００の異なる態様は、標準波形を適合させるのに十分大きくないことがあるスペクトルの部分を利用し得る。システム１００は、標準波形が適合し得るものよりも大きいことがあるスペクトルの部分をも利用し得る。モバイルデバイス１１５、基地局１０５、コアネットワーク１３０、および／またはコントローラ１２０などのデバイスは、フラクショナル帯域幅および／またはフラクショナル波形を生成および／または利用するためにスケーリングファクタを利用するように構成され得る。場合によっては、これらのデバイスは、通常波形、レガシー波形、および／または標準波形が適合しないことがあるスペクトルのこれらの部分を適合させるためにフラクショナル波形を生成し得る。（いくつかのモバイルデバイス１１５および／または基地局１０５など）システム１００のいくつかの態様は、通常サブシステムの時間に関してフラクショナルサブシステムの時間を拡張することあるいはスケールダウン（またはスケールアップ）することによって、（他のモバイルデバイス１１５および／または基地局１０５を使用して実装され得る）通常サブシステムに関して生成され得るフラクショナルサブシステムを形成し得る。スケーリングはまた、異なるサブシステムの状態および／または周波数に適用され得る。
【００３７】
システム１００の態様（たとえば、モバイルデバイス１１５、基地局１０５、コアネットワーク１３０、コントローラ１２０）はまた、スケーリング調整によってフラクショナル帯域幅および／またはサブシステムの使用に関連するタイムストレッチングの影響を反転させるかまたはスケーリングするように構成され得る。たとえば、モバイルデバイス１１５、基地局１０５、および／またはコアネットワーク１３０は、システム１００内のフラクショナルサブシステムに関してスケーリング調整を行うように構成され得、スケーリング調整は、フラクショナルサブシステムのためのスケーリングファクタを識別すること、フラクショナルサブシステムに関連するパラメータおよび／またはタイマーを識別すること、スケーリングファクタに基づいてパラメータおよび／またはタイマーに関連する調整を判断すること、ならびに／あるいは、少なくとも、フラクショナルサブシステムの一部分またはワイヤレス通信システムの別の部分のために、パラメータおよび／またはタイマーに関して調整を適用することを含み得る。
【００３８】
上述のように、フラクショナルサブシステムは、通常波形よりも少ない帯域幅を占有するフラクショナル波形を生成するために利用され得る。たとえば、帯域のエッジにおいて、通常波形を配置するのに十分な利用可能なスペクトルがないことがある。フラクショナルサブシステムでは、時間が拡張されるので、波形によって占有される周波数が減少し、したがって、通常波形を適合させるのに十分広くないことがあるスペクトルにフラクショナル波形を適合させることが可能になり得る。図２Ａに、基地局１０５ａおよびモバイルデバイス１１５ａをもつ、図１のシステム１００の一例であり得るワイヤレス通信システム２００−ａの一例を示し、フラクショナル波形２１０−ａは、通常波形２１５−ａおよび／または２１５−ｂなどの通常波形を適合させるのに十分広くないスペクトルの一部分に適合する。これらの波形は、たとえば、図１に示す１つまたは複数の送信１２５の一部であり得る。図２Ｂに、基地局１０５−ｂおよびモバイルデバイス１１５−ｂをもつ、図１のシステム１００の一例であり得るワイヤレス通信システム２００−ｂの一例を示し、フラクショナル波形２１０−ｂは、波形２１５−ｃなどの通常波形が適合しないことがある、保護帯域であり得る、帯域のエッジの近くのスペクトルの一部分に適合し得る。これらの波形は、たとえば、図１に示す１つまたは複数の送信１２５の一部であり得る。
【００３９】
上記で説明したように、フラクショナル波形は、通常波形よりも少ない帯域幅（または、場合によってはより多くの帯域幅）を占有し得る波形であり得る。したがって、フラクショナル帯域幅システムでは、通常帯域幅システムと比較して、同数のシンボルおよびビットがより長い持続時間にわたって送信され得る。これは、タイムストレッチングを生じ得、それにより、スロット持続時間、フレーム持続時間などがスケーリングファクタＮで増加し得る。スケーリングファクタＮは、通常帯域幅とフラクショナル帯域幅（ＢＷ）との比を表し得る。したがって、フラクショナル帯域幅システムにおけるデータレートは（通常レート×１／Ｎ）に等しくなり得、遅延は（通常遅延×Ｎ）に等しくなり得る。概して、フラクショナルシステムチャネルＢＷ＝通常システムのチャネルＢＷ／Ｎである。遅延×ＢＷは不変のままであり得る。
【００４０】
いくつかの実施形態は他のスケーリングファクタを利用し得る。たとえば、いくつかの実施形態は、（拡張時間ユニットと呼ばれることがある）拡張ユニットＤおよび／または（低減周波数ユニットと呼ばれることがある）低減ユニットＲを判断および／または生成し得る。ＤユニットとＲユニットの両方は単位なし（unitless）であり得る。拡張ユニットＤは値Ｎを有し得る。フラクショナルシステムにおける時間は「拡張時間」で言及され得る。たとえば、通常時間における、たとえば１０ｍｓのスロットは、フラクショナル時間における１０Ｄｍｓであり得る（注：通常時間ではＮ＝１であり、Ｄは値１を有し、したがって１０Ｄｍｓ＝１０ｍｓであるので、通常時間においても、これは当てはまる）。タイムスケーリングでは、いくつかの実施形態は、ほとんどの「秒」の代わりに「拡張秒」を使用し得る。いくつかの実施形態は、１／Ｎに等しくなり得る低減ユニットＲを利用し得る。たとえば、周波数はＲＨｚであり得る。キャリア周波数はスケーリングされないことがある。たとえば、電力制御は８００ＲＨｚであり得る。チップレートは、たとえば、１．２２８８ＭｃｐＤｓあるいは１．２２８８ＭＲＨｚ（またはＲＭＨｚ）であり得る。フラクショナルサブシステムは、異なるフラクショナルサブシステムおよび／または通常サブシステムの異なる態様間の関係を表しおよび／または与えるために、拡張ユニットＤおよび／または低減ユニットＲを利用し得る。
【００４１】
本明細書全体にわたって、通常システム、通常サブシステム、および／または通常波形という用語が、１に等しくなり得るスケーリングファクタ（たとえば、Ｎ＝１）を利用し得る実施形態を伴うシステム、サブシステム、および／または波形を指すために利用され得る。これらの通常システム、通常サブシステム、および／または通常波形は、標準および／またはレガシーシステム、標準および／またはレガシーサブシステム、ならびに／あるいは標準および／またはレガシー波形と呼ばれることもある。さらに、フラクショナルシステム、フラクショナルサブシステム、および／またはフラクショナル波形は、１に等しくないことがあるスケーリングファクタ（たとえば、Ｎ＝２、４、８、１／２、１／４など）を利用し得る実施形態を伴うシステム、サブシステム、および／または波形を指すために利用され得る。Ｎ＞１である場合、波形の帯域幅は減少し得る。いくつかの実施形態は、帯域幅を増加させるスケーリングファクタを利用し得る。たとえば、Ｎ＜１である場合、波形は標準波形よりも大きい帯域幅をカバーするために拡大され得る。フラクショナルシステム、フラクショナルサブシステム、および／またはフラクショナル波形は、場合によっては、フレキシブルシステム、フレキシブルサブシステム、および／またはフレキシブル波形と呼ばれることもある。フラクショナルシステム、フラクショナルサブシステム、および／またはフラクショナル波形は、たとえば、帯域幅を変更することも変更しないこともある。フラクショナルシステム、フラクショナルサブシステム、またはフラクショナル波形は、それが、通常システム、通常サブシステム、または通常波形（たとえば、Ｎ＝１システム）よりも多くの可能性を提供し得るのでフレキシブルであり得る。スケーリングファクタはまた、場合によっては無理数の値をとり得る。スケーリングファクタはまた、状況によっては負の値をとり得る。
【００４２】
図１および／または図２のモバイルデバイス１１５および／または基地局１０５など、モバイルデバイスおよび／または基地局は、デュアルモード（通常およびフラクショナル）で動作するように構成され得る。モバイルデバイスからサービスの要求を受信すると、たとえば、基地局は、モバイルデバイスがフラクショナル帯域幅波形を使用することができることを判断し得る。基地局は、フラクショナル帯域幅についての中心周波数および／またはスケーリングファクタをモバイルデバイスに送り得る。モバイルデバイスは、新しいチャネルに同調し、それに応じて、サービスを受信するためにスケーリングファクタを利用し得る。モバイルデバイスは、それ自体を、フラクショナル帯域幅チャネル上で通信するように構成し得る。いくつかの実施形態では、モバイルデバイスおよび／または基地局は、フラクショナル帯域幅波形を利用するために、図３中のシステムクロックレジーム３００に示すＡＤＣクロック３１０、ＤＡＣクロック３２０、処理クロック３３０、および／またはオフラインクロック３４０の周波数を変更し得る。システムクロックレジーム３００は、ＡＤＣクロックおよび／またはＤＡＣクロック３２０と通信しているアナログベースバンドモジュール３５０をも示している。アナログベースバンドモジュール３５０は、オフラインクロック３４０および／または処理クロック３３０と通信していることがあるベースバンド処理モジュール３６０と通信していることがある。これらのクロック３１０〜３４０は、たとえば、ブロック処理レート、割込みレート、デシメーションレート、および／または補間レートを制御し得る。いくつかの実施形態では、オフラインクロック３４０は変更されないことがある。いくつかの実施形態では、ＡＤＣ３１０クロックおよびＤＡＣ３２０クロックの有効出力がフィルタ処理によって変更され、ＡＤＣクロック３１０およびＤＡＣクロック３２０は同じ状態に保たれ得る。場合によっては、ＡＤＣクロック３１０は同じ状態に保たれ、１つおきのサンプルをデシメートし得る。たとえば、ＤＡＣクロック３２０は同じ状態に保たれ、（一様にフィルタ処理され得る）２つの（たとえば、繰り返された）同じサンプルをそれに供給し得る。これは、Ｎ＝２システムの場合、クロックを１／２に減速させるのと同じ影響を有し得る。いくつかの実施形態はオフラインクロック３４０を含まないことがある。いくつかの実装形態は処理クロック３３０を含み得る。処理クロック３３０はオフラインモードにないことがある。処理クロック３３０は減速されることも減速されないこともある。
【００４３】
基地局は、いくつかの実施形態では、通常チャネルとフラクショナルチャネルとを同時に送信していることがある。同様に、モバイルデバイスは、通常チャネルとフラクショナルチャネルとを同時に送信し得る。フラクショナルチャネルは、スケーリングファクタを利用することによって生成され得、同じまたは異なる無線技術によるものであり得る。両方のチャネルがデータおよび／またはシグナリングを含んでいることがある。シグナリングは、それらのチャネルにキャンピングしたおよび／またはアタッチされたモバイルデバイスを構成するために使用され得る。シグナリングは、２つのチャネル間でのモバイルデバイス移動を管理するためにも使用され得る。
【００４４】
フラクショナル帯域幅波形の使用は、限定はしないが、マシンツーマシン、小さいセル展開（フェムト、ピコ、メトロなど）、２Ｇスペクトル上での３Ｇサービスのロールアウト（ＧＳＭ再フレーミング）、中程度のデータレートサービス、および／または音声サービスを含む、多くの適用例を有する。
【００４５】
図４Ａに、プロトコルレイヤ４００−ａにわたる時間の感覚の一例を示す。この例はＥＶＤＯプロトコルスタックを示しているが、他の実施形態は、他の無線アクセス技術（ＲＡＴ）プロトコルスタックまたはレイヤを相応に利用し得る。概して、図４Ａは、ＯＳＩプロトコルスタック、ＴＣＰ／ＩＰプロトコルスタックなどの上位レイヤに関連し得る、プロトコルレイヤの上部セット４１０を示している。上部セット４１０は、概して絶対時間を利用する。プロトコルレイヤの中間セット４２０は、概して、ＲＡＴに関連するプロトコルレイヤに関係する。これらのレイヤは、絶対時間と、フラクショナルシステムのためのタイムスケーリングファクタＮに関する相対時間の両方を利用し得る。場合によっては、中間セット４２０はフラクショナルシステムプロトコルスタックまたはレイヤと呼ばれることがある。レイヤの下部セット４３０は、概して、相対時間を利用するレイヤを含む。たとえば、ＭＡＣレイヤおよび物理レイヤは、概して、基礎をなすエアインターフェースのネイティブ時間である相対時間を使用する。
【００４６】
図４Ａは、示されたレイヤ間の相対時間と絶対時間との分画を示しているが、他の分画が等しく有効であり得る。たとえば、時間の分画は最も低いレベルに保たれ得る。図４Ｂに、相対時間４４０がコード（たとえば、ＰＮコード）の状態においてのみ保たれ得る、プロトコルレイヤ４００−ｂにわたる時間の感覚の別の例を示す。相対時間（および、たとえばＰＮコード状態）の正しい値は、絶対時間４５０から補正された後にチップごとにロードされ得る。図４Ｃに、あらゆるブロック４６０および／または４７０が、相対時間を知っていることがあり、必要に応じて絶対時間を計算する、プロトコルレイヤ４００−ｃにわたる時間の感覚の別の例を示す。プロトコルレイヤ４００ｃでは、アプリケーションさえ、相対時間に気づいていることがあり、必要に応じて（たとえば、ＵＩ上に時間を表示するために）絶対時間を計算しなければならない。
【００４７】
いくつかの実施形態は、様々な方法で分類され得るパラメータを伴い得る。たとえば、いくつかのパラメータはタイムストレッチングに鈍感であり得る。これらのパラメータのいくつかは、それらの性能がタイムストレッチングによって影響を及ぼされることも影響を及ぼされないこともある。たとえば、スロットごとの値をもつパラメータは、スロット持続時間自体がストレッチされると、フラクショナルシステムにおいてデフォルトでストレッチされ得るので、それらのパラメータは明示的スケーリングを必要としないことがある。機能は損なわれないが、性能およびユーザエクスペリエンスの向上のために、値が通常システムと同等になるように逆スケーリングが行われ得る（たとえば、スロットサイクルまたはＤＳＣＬｅｎｇｔｈ）。タイムストレッチングに鈍感であり得るパラメータのいくつかの他の例としては、限定はしないが、ｄＢ単位の値（すなわち、絶対電力ではなく相対電力）をもつパラメータ、単位なしの値（比）をもつパラメータ、および／または％単位の値（たとえば、ＦＥＲ）をもつパラメータがある。
【００４８】
いくつかのパラメータはタイムストレッチングに敏感であり得る。たとえば、これらのパラメータは、限定はしないが、データレートの値をもつパラメータ、時間の値をもつパラメータ、および／またはＱｏＳに関係するパラメータを含み得る。さらに、絶対電力に関するパラメータはタイムストレッチングに敏感であり得る（たとえば、ｄＢｍ単位で測定されたパラメータ）。
【００４９】
フラクショナルシステムに関連するスケーリングの影響を処理するために、様々な調整が行われ得る。たとえば、いくつかのＱｏＳ要件を維持するために、いくつかの実施形態はフラクショナルシステムからのＱｏＳを利用し得る。タイムストレッチングにより、フラクショナルシステムにおけるエアインターフェース上でより高いレートとより低い遅延とを要求することが必要になり得る。単に例として、所望のアプリケーションデータレートが１００ｋｂｐｓであり得、エンドツーエンド遅延が１００ｍｓであり得る場合について考える。この例では、フラクショナルＢＷファクタまたはタイムスケーリングファクタＮ＝２とする。タイムストレッチされたシステムにおける時間単位は拡張秒または拡張ｍｓであり得る（すなわち、拡張ファクタはＮである）。これは、拡張ファクタがＮ＝１である通常システムについても機能する。たとえば、ＱｏＳスケーリングなしに、有効アプリケーションデータレート＝１００／Ｎ＝５０ｋｂｐｓであり、遅延＝１００Ｄｍｓ（拡張ｍｓ）、すなわち１００＊Ｎｍｓ＝２００ｍｓである。したがって、スケーリングされたＱｏＳ要件は、所望のアプリケーションデータレート＝１００＊２＝２００ｋｂｐＤｓおよび／または所望のエンドツーエンド遅延＝１００／２＝５０Ｄｍｓを含み得る。フラクショナルシステムの下位レイヤは、通常時間と拡張時間を区別しないことがある（すなわち、それらは拡張時間が通常時間であると考え得る）ので、要求されたレートは、２００ｋｂｐｓのように見えるであろう（すなわち、より高い所望のエンドツーエンド遅延は５０ｍｓのように、すなわち、より低いように見えるであろう）。スケーリングは、順方向リンク（ダウンリンク）と逆方向リンク（アップリンク）の両方において必要とされ得る。
【００５０】
いくつかの実施形態では、モバイルデバイス上のアプリケーションまたはアプリケーションサーバは、これらのスケーリングされたＱｏＳ要件に基づいて要求を行い得る。しかしながら、アプリケーションおよび／またはアプリケーションサーバが、通常システムに対してフラクショナルシステムを使用するために変更することは望ましくないことがある。代わりに、いくつかの実施形態では、フラクショナルシステム（またはフラクショナルシステムのプロトコルレイヤ）がアプリケーションＱｏＳ要件をスケーリングし得る。
【００５１】
いくつかの実施形態では、ＱｏＳスケーリングは、スケーリングされたＱｏＳ要件に適した無線リンクプロトコル（ＲＬＰ）フローを割り当てる前に行われ得る。ＲＬＰパラメータは、ＱｏＳ要件に基づいて決定され、モバイルデバイスとアクセスネットワークとの間でネゴシエートされ得る。いくつかの実施形態では、スケーリングは、単に例として、ピークレート、最大レイテンシ、パケットサイズ、トークンレートのような属性には影響を及ぼし得るが、トラフィッククラス、遅延変動敏感性（Delay_Variation_Sensitive）、最大ＩＰパケットロスレートのような属性には影響を及ぼさないことがある。
【００５２】
図５に、様々な実施形態による、ＱｏＳスケーリングが実装され得るシステム５００の一例を示す。図５は、ＱｏＳプロファイルに関連し得る複数のアプリケーションデータフローを定義するための機構を与え得る変更マルチフローパケットアプリケーション５１５を示している。これらのフローは、ＲｅｓｅｒｖａｔｉｏｎＬａｂｅｌを使用して識別され得る。たとえば、ＲｅｓｅｒｖａｔｉｏｎＬａｂｅｌは、アプリケーションデータフロー、ＱｏＳプロファイル、および／またはそれに関連するＲＬＰフローを示す識別子であり得る。ＲｅｓｅｒｖａｔｉｏｎＬａｂｅｌ「１１１１１１１１」は、たとえば、ベストエフォートＲＬＰに対応し得る。他のＲｅｓｅｒｖａｔｉｏｎＬａｂｅｌは他のプロファイルに対応し得る。
【００５３】
いくつかの実施形態では、マルチフローパケットアプリケーション５１５は、基地局とモバイルデバイスとの間で複数のオクテットストリームを与え得る。各オクテットストリームはＲＬＰフローによって搬送され得る。ＲＬＰパケットは、ＲＬＰフローを識別するＲＬＰＩＤでタグ付けされ得る。
【００５４】
概して、マルチフローパケットアプリケーションは、フラクショナルシステムのプロトコルスタックの一部として実装され得る。この例では、それは１ｘＥＶ−ＤＯプロトコルスタックのアプリケーションレイヤである。マルチフローパケットアプリケーション５１５は、ＯＳＩアプリケーションレイヤ５０５から来るＩＰフロー５１０とＲＬＰフロー５３０との間のマッピングを与え得る。図５に示す変更マルチフローパケットアプリケーション５１５では、ＩＰフロー５１０とＲＬＰフロー５３０との間のマッピングが生じる前にＱｏＳスケーリングモジュール５２０が挿入され得る。これらのＱｏＳスケーリングモジュール５２０は、フラクショナルシステムに関する値Ｎとアプリケーションレイヤによって必要とされるＱｏＳとを知り得る。ＱｏＳスケーリングモジュール５２０は、次いで、フラクショナルシステム内でＱｏＳスケーリングを処理するために、ＱｏＳ要件を通常システムからフラクショナルシステムにマッピングし得る。ＱｏＳスケーリングモジュール５２０は、アプリケーションデータフローのためのスケーリングされたＱｏＳ要件をＱｏＳプロファイルにマッピングし得る。したがって、ＱｏＳスケーリングモジュール５２０は、たとえばタイムストレッチングの影響を反転させるために、データレートをスケールアップするかまたは遅延要件をスケールダウンし得る。一例では、必要とされるデータレートが１００ｋｂｐｓである場合、ＱｏＳスケーリングモジュール５２０は、これを、Ｎ＝２であれば、２００ｋｂｐＤｓ、すなわち１００ｋｐｂｓにスケーリングし得る。所望の遅延が１００ｍｓである場合、Ｎ＝２であれば、ＱｏＳスケーリングモジュールは、要求されたレートを５０Ｄｍｓ、すなわち１００ｍｓにスケーリングし得る。ＱｏＳクラスは、時々固定である。Ｎ＝２であり、１００ｋｂｐｓおよび１００ｍｓ遅延を最初に希望した例では、ＱｏＳが２００ｋｂｐｓおよび５０ｍｓであるクラスは存在しないことがある。たとえば、２５０ｋｐｂｓおよび２５ｍｓであるＱｏＳのみがあり得る。その場合、要求されたＱｏＳはそのクラスになり得、得られるＱｏＳは、（１２５ｋｂｐｓおよび５０ｍｓである）２５０ｋｂｐＤｓおよび２５Ｄｍｓになるであろう。
【００５５】
変更マルチフローアプリケーションレイヤ５１５の他の態様は同じままであり得る。たとえば、モバイルデバイスは、（１つまたは複数の）データフロー５１０を（１つまたは複数の）ＲＬＰフロー５３０にバインドし得、（１つまたは複数の）ＲｅｓｅｒｖａｔｉｏｎＬａｂｅｌを割り当てる。モバイルデバイスは、（１つまたは複数の）ＲｅｓｅｒｖａｔｉｏｎＬａｂｅｌと（１つまたは複数の）ＱｏＳプロファイルＩＤとを基地局に送り得る。基地局は、ＲＬＰフローにバインドされた（１つまたは複数の）ＲｅｓｅｒｖａｔｉｏｎＬａｂｅｌを受け付け、（１つまたは複数の）ＲＬＰフローを構成およびアクティブ化し、（１つまたは複数の）ＲＬＰフローをＲＴＣＭＡＣフローにバインドし、ならびに／あるいはＲＴＣＭＡＣフローを構成およびアクティブ化し得る。
【００５６】
ＱｏＳネゴシエーションはモバイルデバイスと基地局との間で行われ得る。エアインターフェースがフラクショナルシステムであり得ることにより、パケットデータサービスノード（ＰＤＳＮ）および他のコアネットワーク（ＣＮ）エンティティに影響を及ぼさないことが望ましいことがある。しかしながら、ＱｏＳスケーリングにより、モバイルデバイスは、許可されないかまたは事前構成済みでないアプリケーションフローのためのＱｏＳプロファイルＩＤを要求し得る。たとえば、モバイルデバイスは、１００ｋｂｐｓのデータレートを可能にするサブスクリプションを有し得るが、たとえばＮ＝２であるフラクショナルシステムでは、１００ｋｐｂｓのＱｏＳ要件を維持するために、上記で説明したように、結局２００ｋｂｐＤｓを要求することになり得る。
【００５７】
いくつかの実施形態は、フラクショナル基地局が、事前構成済みプロファイルＩＤのスケーリングされたバージョンであるダミー事前構成済みプロファイルＩＤを作成し、維持することを伴い得る。スケーリングされたＱｏＳプロファイルＩＤはエアリンク部分のコンテキストにおいてのみ使用され得る。したがって、基地局は、モバイルデバイスのためのサブスクリプションレートを検査するとき、スケーリングされていないプロファイルを使用し得る。たとえば、基地局が、スケールアップされたＱｏＳプロファイルｉｄについて検査した場合、それは誤りにつながるであろう。スケールバックされたＱｏＳプロファイルＩＤが、モバイルデバイスがサービスされている有効レートであるので、基地局は、モバイルデバイスがそのＱｏＳプロファイルＩＤについて可能にされるかどうかを検査するために、プロファイルＩＤをスケールバックし得る。
【００５８】
いくつかの実施形態では、ＱｏＳスケーリングは、変更マルチフローパケットアプリケーションの一部としてＱｏＳスケーリングまたはマッピングモジュールによって処理されるのではなく、ＭＡＣレイヤにおいて処理され得る。ＭＡＣレイヤは、概して、フラクショナルシステム値Ｎに関して相対時間の概念を有する。ＭＡＣレイヤは、スケジューリングを行いながら、Ｎの影響を考慮に入れ、それに応じてフローをスケジュールし得る。たとえば、データレートおよびパケット間遅延は、ＱｏＳ要件に従って維持される必要があり得る。相対タイミングがストレッチされるために、これらは、ＭＡＣレイヤが、Ｎ＝１システムと比較して、相対時間ではフローをより頻繁にスケジュールし得ることを暗示するであろう。
【００５９】
いくつかの実施形態は、モバイルデバイスが基地局間を移動するとき、モバイルデバイスのためのＱｏＳ要件を処理するように構成され得る。以下の例についてＵＭＴＳに関して説明するが、これは他のＲＡＴに適用可能であり得る。
【００６０】
図６に、モバイルデバイス１１５−ｃと複数の基地局１０５−ｉ、１０５−ｊ、．．．、１０５−ｋとを含む（または、モバイルデバイスのためのサブスクライブされたＱｏＳなど、加入者情報６１０へのアクセスを有し得るコアネットワーク１３０−ａと通信している）ワイヤレス通信システム６００の一例を示す。システム６００は、たとえば、図１のシステム１００の一例であり得る。基地局は、通常、サブスクライブされたＱｏＳをサポートすることが可能であり得る。これは、モバイルデバイスが、異なるフラクショナル帯域幅をもつ基地局間を移動するとき、そうでないことがある。
【００６１】
いくつかの実施形態は、次式のようなＱｏＳスケーリング機構を求めるように構成され得る。
【数１】
2014533062.tif 000003
【００６２】
上式で、ＱｏＳsub＝サブスクライブされたＱｏＳであり、ＱｏＳi＝基地局ｉにとって利用可能なＱｏＳである。
【００６３】
モバイルデバイス１１５−ｃは、場合によっては、ＣＮ１３０−ａ（すなわち、ＳＧＳＮ）にはＱｏＳ要求を行い得るが、基地局１０５のうちの１つ（すなわち、コントローラまたはＲＮＣ）にはＱｏＳ要求を行わないことがある。しかし、基地局ｉによって利用可能なＱｏＳ情報（ＱｏＳｉ）は基地局ｉのみに知られていることがある。ＣＮ１３０−ａは、基地局ｉの利用可能なＱｏＳであるＱｏＳｉを知らないことがある。
【００６４】
ＱｏＳスケーリングおよび割当て機構をどのように正確で合理的にするかに対処するために、いくつかの異なるプロシージャが利用され得る。いくつかの実施形態はＲＡＢ割当てプロシージャを利用し得る（たとえば、ＴＳ２３．０６０のセクション１２．７．４参照）。無線アクセスネットワーク（ＲＡＮ）はＳＧＳＮにＲＡＢ割当て応答メッセージを戻し得る。１つまたは複数のＲＡＢを確立または変更するようにとの要求がキューイングされた場合、ＲＡＮは、後続のＲＡＢ割当て応答メッセージ中で確立または変更の結果を報告し得る。ＳＧＳＮが、（１つまたは複数の）要求されたＱｏＳプロファイルが与えられ得ないことを示す原因（たとえば、「要求された最大ビットレート利用不可能」）をもつＲＡＢ割当て応答メッセージを受信した場合、ＳＧＳＮは、（１つまたは複数の）異なるＱｏＳプロファイルをもつ新しいＲＡＢ割当て要求メッセージを送り得る。もしあれば再試行の数、ならびに（１つまたは複数の）新しいＱｏＳプロファイル値がどのように判断され得るかは実装依存であり得る。
【００６５】
図７に、基地局１０５によって受け付けられるまでＱｏＳを格下げするコアネットワーク１３０／ＳＧＳＮを含み得る通信図７００を示す。通信図７００は、たとえば、図１のシステム１００および／または図６のシステム６００などのシステムを通して実装され得る。（コアネットワーク１３０は利用可能なＱｏＳｉを知らないので）ＱｏＳ＿ａｌｌｏｃａｔｅｄはＱｏＳｉよりも小さくなり得る。コアネットワーク１３０は、（実装形態に応じて）基地局１０５によって受け付けられる前に失敗を宣言し得る。通信図７００に示すように、モバイルデバイス１１５は、ＱｏＳ＿ｒｅｑｕｅｓｔｅｄ、モバイルデバイス１１５による要求ＱｏＳを要求するために、ＰＤＰコンテキストアクティブ化要求（ＱｏＳ＿ｒｅｑｕｅｓｔｅｄ）７０５をコアネットワーク１３０／ＳＧＳＮに送信し得る。コアネットワーク１３０／ＳＧＳＮは、ＱｏＳ＿ｓｕｂおよびコアネットワーク１３０のリソース利用可能性などに基づいてＱｏＳ＿ｒｅｑｕｅｓｔｅｄ＿１を判断し得る。コアネットワーク１３０／ＳＧＳＮは、次いで、ＲＡＢ割当て要求（ＱｏＳ＿ｒｅｑｕｅｓｔｅｄ＿１）７１０を基地局１０５／コントローラ１２０に送信し得る。基地局１０５／コントローラ１２０は、ＱｏＳ＿ｒｅｑｕｅｓｔｅｄ＿１が利用可能でない場合、ＲＡＢ割当て応答（ＱｏＳ利用不可能）７１５を送信し得る。コアネットワーク１３０／ＳＧＳＮは、基地局１０５のＱｏＳ利用可能性を知ることなしにＱｏＳ要求をスケールダウンし得る。コアネットワーク１３０／ＳＧＳＮと基地局１０５／コントローラ１２０との間でのこの往復は多数回反復され得る。コアネットワーク１３０／ＳＧＳＮは、基地局１０５／コントローラ１２０がＲＡＢ割当て応答（ＱｏＳ受付け）７２５を用いて受け付け得る、ＲＡＢ割当て要求（ＱｏＳ＿ｒｅｑｕｅｓｔｅｄ＿ｋ）７２０を送り得る。コアネットワーク１３０／ＳＧＳＮは、次いで、コアネットワーク１３０／ＳＧＳＮと基地局１０５／コントローラ１２０との間でネゴシエートされたＱｏＳを割り当てるために、ＰＤＰコンテキストアクティブ化受付け（ＱｏＳ＿ａｌｌｏｃａｔｅｄ＝ＱｏＳ＿ｒｅｑｕｅｓｔｅｄ＿ｋ）７３０をモバイルデバイス１１５に送信し得る。コアネットワーク１３０／ＳＧＳＮが、基地局ｉに関連する時間スケーリングファクタＮに気づいており、それに応じてＱｏＳ要求をスケールダウンする場合（たとえば、Ｎが大きい場合はより積極的なスケーリング、およびＮが小さい場合はより控えめなスケーリング）、反復の回数は低減され得る。
【００６６】
いくつかの実施形態は、基地局１０５および／またはコントローラ１２０が、最初にコアネットワーク１３０／ＳＧＳＮから要求ＱｏＳを受け付け、直ちにＲＡＢ変更プロシージャを開始する方法を含み得る。図８に、これがどのように実装され得るのかの通信図８００の一例を示す。通信図８００は、たとえば、図１のシステム１００および／または図６のシステム６００などのシステムを通して実装され得る。このプロシージャは、より少ないシグナリングを用いて最良の利用可能なＱｏＳをモバイルデバイス１１５に与え得る。通信図８００に示すように、モバイルデバイス１１５は、ＰＤＰコンテキストアクティブ化要求（ＱｏＳ＿ｒｅｑｕｅｓｔｅｄ）８０５をコアネットワーク１３０／ＳＧＳＮに送信し得る。コアネットワーク１３０／ＳＧＳＮは、ＱｏＳ＿ｓｕｂおよびコアネットワーク１３０のリソース利用可能性などに基づいてＱｏＳ＿ｒｅｑｕｅｓｔｅｄ＿１を判断し得る。コアネットワーク１３０／ＳＧＳＮは、次いで、ＲＡＢ割当て要求（ＱｏＳ＿ｒｅｑｕｅｓｔｅｄ＿１）８１０を基地局１０５／コントローラ１２０に送信し得る。基地局１０５／コントローラ１２０は、ＲＡＢ割当て応答（またはＱｏＳ受付け）８２５を用いて受け付け得る。コアネットワーク１３０／ＳＧＳＮは、次いで、ＰＤＰコンテキストアクティブ化受付け（またはＱｏＳ＿ａｌｌｏｃａｔｅｄ＝ＱｏＳ＿ｒｅｑｕｅｓｔｅｄ＿１）８３０をモバイルデバイス１１５に送信し得る。基地局１０５／コントローラ１２０はＲＡＢ変更要求（ＱｏＳ＝ｍｉｎ｛ＱｏＳｉ，ＱｏＳ＿ｒｅｑｕｅｓｔｅｄ＿１｝）８３５をコアネットワーク１３０／ＳＧＳＮに送信し得るが、これは、それがＱｏＳ＝ｍｉｎ｛ＱｏＳｉ，ＱｏＳ＿ｒｅｑｕｅｓｔｅｄ＿１｝のみをサポートし得るからである。コアネットワーク１３０／ＳＧＳＮは、次いで、ＰＤＰコンテキスト変更要求（ＱｏＳ＿ａｌｌｏｃａｔｅｄ＝ｍｉｎ｛ＱｏＳｉ，ＱｏＳ＿ｒｅｑｕｅｓｔｅｄ＿１｝）８４０をモバイルデバイス１１５に送信し得る。
【００６７】
図９に、ＱｏＳを処理するための合理化された方法を与え得る通信図９００を示す。通信図９００は、たとえば、図１のシステム１００および／または図６のシステム６００などのシステムを通して実装され得る。基地局１０５／コントローラ１２０は、ＱｏＳ変更要求を用いてコアネットワーク１３０／ＳＧＳＮからの要求ＱｏＳを受け付け得る。これは、一層少ないシグナリングを用いて最良の利用可能なＱｏＳをモバイルデバイス１１５に与え得る。通信図９００に示すように、モバイルデバイス１１５は、ＰＤＰコンテキストアクティブ化要求（ＱｏＳ＿ｒｅｑｕｅｓｔｅｄ）９０５をコアネットワーク１３０／ＳＧＳＮに送信し得る。コアネットワーク１３０／ＳＧＳＮは、ＱｏＳ＿ｓｕｂおよびコアネットワーク１３０のリソース利用可能性などに基づいてＱｏＳ＿ｒｅｑｕｅｓｔｅｄ＿１を判断し得る。コアネットワーク１３０／ＳＧＳＮは、次いで、ＲＡＢ割当て要求（ＱｏＳ＿ｒｅｑｕｅｓｔｅｄ＿１）９１０を基地局１０５／コントローラ１２０に送信し得る。基地局１０５／コントローラ１２０は、ＱｏＳ＿ｒｅｑｕｅｓｔｅｄ＿１を受け付けるのではなく代替ＱｏＳのみを受け付けるために、ＲＡＢ割当て応答（代替ＱｏＳ＝ｍｉｎ｛ＱｏＳｉ，ＱｏＳ＿ｒｅｑｕｅｓｔｅｄ＿１｝を用いるＱｏＳ受付け）９２５を用いて受け付け得る。コアネットワーク１３０／ＳＧＳＮは、次いで、ＰＤＰコンテキストアクティブ化受付け（ＱｏＳ＿ａｌｌｏｃａｔｅｄ＝ｍｉｎ｛ＱｏＳｉ，ＱｏＳ＿ｒｅｑｕｅｓｔｅｄ＿１｝）９３０をモバイルデバイス１１５に送信し得る。
【００６８】
ＱｏＳスケーリングの上記の例は例示のためのものにすぎず、これらの方法のいずれも、ＥＶＤＯ、ＵＭＴＳまたは他の無線アクセス技術のいずれを用いても動作することができる。
【００６９】
いくつかの実施形態はスロットサイクルインデックススケーリングを含み得る。スロットサイクルインデックスは、ページを監視するためにモバイルデバイスがいつスリープから起動し得るかを判断するための情報をモバイルデバイスに与え得る。概して、モバイルデバイスは、スロットサイクルｉによって管理される間隔で基地局からのページを監視し得る。図１０Ａに、スロットサイクルインデックス値と、スロットサイクルインデックスに基づいてスロットの数で期間がどのように計算されるのかとについてのテーブル１０００−ａを示す。
【００７０】
たとえば、９のスロットサイクルは、３０７２スロット（すなわち、５．１２ｓ）の期間に対応する。フラクショナルシステムでは、同じスロットサイクルは、３０７２スロットに対応し得るが、５．１２Ｄｓ（すなわち、５．１２＊Ｎｓ）にまたがり得る。その結果、ページング遅延は平均してＮ倍に増加し得る。これは、ＭＴトラフィックのための接続セットアップ時間に影響を及ぼし得る。これを反転させるために、ページング遅延を同じに保つように、スロットサイクルに対応する期間がＮによって逆スケーリングされ得る。オーバーヘッドメッセージの周波数の増加（すなわち、後続のページングインスタンス間のスロットの数の低減）により制御チャネル負荷が増加し得るので、これはシステム性能に影響を及ぼし得る。
【００７１】
いくつかの実施形態は、期間をＮで除算し得るスロットサイクル期間スケーリングのために構成され得る。Ｎの分数値の場合、いくつかの実施形態は、［７６８／Ｎ］（すなわち、７６８／Ｎの整数部分）を必要とし得る。図１０Ｂに、スケーリングされた期間がどのように判断され得るかのテーブル１０００−ｂを示す。Ｎのいくつかの値について、オフセットが期間スケーリングでシフトし続けるにつれて、ページのスケジューリングはより困難になり得る。
【００７２】
いくつかの実施形態は、インデックス値がオフセットによってシフトされ得る（たとえば、有効インデックス＝インデックス−（ｆｌｏｏｒ（Ｎ）−１））スロットサイクルインデックススケーリングのために構成され得る。したがって、インデックススケーリングは、新しいパラメータおよびマッピング関数の変更に関与し得ない。これは、基地局がＮに基づいてスケジューリングを調整することに類似し得る。
【００７３】
いくつかの実施形態は、スロットサイクルインデックスからの期間計算を変更することを含み得る。図１０Ｃに、これらの計算がどのように行われ得るのかの一例であるテーブル１０００−ｃを示す。これは、Ｎによる明示的スケーリングを有さず、代わりに新しいパラメータＡおよびＢを利用し得る。
【００７４】
いくつかの実施形態は、データレート制御（ＤＲＣ）スケーリングのために構成され得る。通常システムの場合と同じ送信電力密度を仮定すると、タイムストレッチングにより、有効データレートはファクタＮで低減され得る。ＤＲＣインデックスから実際のデータレートへのマッピングはＮに依存し、１／Ｎデータレートのために調整し得る。下位レイヤは、相対時間の概念と、それらの世界での拡張秒当たりのビットでのレートとのみを有し得る。拡張秒の概念は拡張ファクタ（Ｎ）に依存するので、拡張秒当たりのビットでのレートは、すべての部分にわたって同じままであり得る。
【００７５】
いくつかの実施形態では、ＤＲＣ値は、スケーリングされず、拡張秒当たりのキロビットとしてのレートを有しないことがあり、これは、変な絶対値がＮのために調整されることを回避するのを助け得る。いくつかの実施形態はＰＨＹエンハンスメントを含み得る。送信電力が通常システムの場合と同じであるか、または同じ電力送信密度のために必要とされるよりも多い場合、（最大通常システムデータレート／Ｎ）よりも高いレートが達成され得る（たとえば、繰り返しが少ないと、コードレートは高くなる）。
【００７６】
いくつかの実施形態は、パケットサイズスケーリングのために構成され得る。たとえば、１６スロットパケットは、（早期終了なしの）通常システムにおける（４つのインターレースを用いる）インターレース送信により、送信のために［（１６−１）＊４＋１］スロットを必要とし得る。それは、フラクショナルシステムにおいてＮ倍多く必要とするであろう。Ｎ＝４の場合、それは約４００ｍｓ（約１００ｍｓから上）を必要とし得る。その結果、エンドツーエンド遅延などが影響を及ぼされ得る。
【００７７】
アプリケーションに応じて、１６または８スロットＳＵＰ（シングルユーザパケット：Single User Packet）が、たとえば、より低いＤＲＣのための４スロットパケットと交換されなければならないことがある。ＬｏＬａｔ送信モードは、４以下スロットパケットに対応する。いくつかの実施形態では、Ｎ＞４の場合、ＬｏＬａｔ送信モードは、２以下スロットパケットに対応し得る。
【００７８】
いくつかの実施形態は、ＤＳＣＬｅｎｇｔｈスケーリングのために構成され得る。モバイルデバイスは、ＤＳＣ（データソースチャネル）チャネルを使用して、順方向リンク上の選択されたサービングセルを基地局に示し得る。サービングセルは、そのセルの３ビットＤＳＣ値によって示され得る。ＤＳＣ値は、それの送信の終了から１スロット後に効果を生じ、ＤＳＣＬｅｎｇｔｈスロットに対して有効なままであり得、ＤＳＣＬｅｎｇｔｈはＦＴＣＭＡＣプロトコルによって指定される。高モビリティアプリケーションでは、秒での時間が同じに保たれない場合、性能はセル境界上のデータレートに関して低下し得る。
【００７９】
いくつかの実施形態は、ユーザエクスペリエンスを低下させないために、秒での時間を同じに（またはほぼ同じに）保つためにＮによって逆スケーリングされたＤＳＣＬｅｎｇｔｈをスロットに含み得る。同じことは、時間ＡＴが何も受信しないヌルＤＲＣカバー期間に当てはまり得る。
【００８０】
いくつかの実施形態は、タイマー分類およびスケーリングに関係する以下のことなどの情報を利用し得る。たとえば、限定はしないが、スロットまたはＣＣサイクルでのタイムアウト値をもつタイマーを含む、いくつかのタイマーは、明示的スケーリングを必要としないことがある。スロット持続時間がスケーリングされるので、明示的スケーリングは必要とされないことがある。これらのタイマーは、接続レイヤでは、ＴＯＭＰＱＣＳｕｐｅｒｖｉｓｉｏｎ、ＴＯＭＰＳＰＳｕｐｅｒｖｉｓｉｏｎ、ＭＡＣレイヤでは、ＴＣＣＭＰＳｕｐｅｒｖｉｓｉｏｎ、ＴＡＣＭＰＡＰＳｕｐｅｒｖｉｓｉｏｎ、ＴＡＣＭＰＡＴＰｒｏｂｅＴｉｍｅｏｕｔ、ＴＡＣＭＰＣｙｃｌｅＬｅｎを含み得る。限定はしないが、アプリケーションレイヤでは、ＴＲＬＰＦｌｕｓｈ、ＴＲＬＰＡｂｏｒｔ、接続レイヤでは、ＴＩＳＰＰｉｌｏｔＡｃｑ、ＴＩＳＰＳｙｎｃＡｃｑ、ＴＩＤＰＡＴＳｅｔｕｐ、ＭＡＣレイヤでは、ＴＦＴＣＭＤＲＣＳｕｐｅｒｖｉｓｉｏｎ、セキュリティレイヤでは、ＤＨキー交換タイマーなど、時間でのタイムアウト値をもつタイマーを含む、いくつかのタイマーは、明示的スケーリングを必要とし得る。これらの場合、値を秒／ｍｓから拡張秒／ｍｓにスケーリングする必要があり得る。しかしながら、たいていのタイマーでは、秒（？）での値範囲は、Ｎを処理するのに十分であり得る。セッション管理（５４時間のデフォルト値をもつＴＳＭＰＣｌｏｓｅ）または接続レイヤ（ＰｉｌｏｔＤｒｏｐＴｉｍｅｒ、ＰｉｌｏｔＳｕｐｅｒｖｉｓｉｏｎＴｉｍｅｒ）などについては、例外があり得る。
【００８１】
次に図１１を参照すると、ブロック図に、様々な実施形態による、スケーリング調整を含むフラクショナル帯域幅機能を含むデバイス１１００が示されている。デバイス１１００は、図１、図２Ａ、図２Ｂ、図６、図７、図８、図９、図１２、図１３、および／または図１４のモバイルデバイス１１５、図３のシステムクロックレジーム３００の態様の一例であり得、ならびに／あるいはフラクショナル帯域幅機能と統合するデバイス（たとえば、図１、図２Ａ、図２Ｂ、図６、図７、図８、図９、図１３、および／または図１４に関する基地局１０５）であり得る。デバイス１１００はプロセッサでもあり得る。デバイス１１００は、受信機モジュール１１０５、スケーリング調整モジュール１１１０、および／または送信機モジュール１１１５を含み得る。これらの構成要素の各々は互いに通信していることがある。
【００８２】
デバイス１１００のこれらの構成要素は、個別にまたは集合的に、ハードウェア中の適用可能な機能の一部または全部を実行するように適応された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実行され得る。他の実施形態では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００８３】
受信機モジュール１１０５は、パケット、データ、および／またはデバイス１１００が受信または送信したものに関するシグナリング情報などの情報を受信し得る。受信された情報は、時間スケーリングモジュール１１１０および／またはフラクショナルサブシステムモジュール１１１５によって様々な目的のために利用され得る。
【００８４】
デバイス１１００およびそれのモジュール１１０５、１１１０、および／または１１１５は、いくつかの実施形態では、ワイヤレス通信システムにおけるフラクショナルサブシステムに関するスケーリング調整のために構成され得る。スケーリング調整モジュール１１１０は、フラクショナルサブシステムのためのスケーリングファクタを識別し得る。スケーリング調整モジュール１１１０は、フラクショナルサブシステムに関連するパラメータおよび／またはタイマーを識別し得る。スケーリング調整モジュール１１１０は、スケーリングファクタに基づいてパラメータおよび／またはタイマーに関連する調整を判断し得る。スケーリング調整モジュール１１１０は、少なくとも、フラクショナルサブシステムの一部分またはワイヤレス通信システムの別の部分のために、パラメータおよび／またはタイマーに関して調整を適用し得る。
【００８５】
スケーリング調整モジュール１１１０は、識別されたパラメータのタイムストレッチングを補償するために、識別されたパラメータおよび／または識別されたタイマーに関して調整を適用し得る。調整を適用することは、識別されたパラメータおよび／またはタイマーの逆スケーリングを含み得る。
【００８６】
スケーリング調整モジュール１１１０は、スケーリングファクタを利用してフラクショナルサブシステムに関連する少なくともパラメータまたはタイマーをスケーリングし得る。少なくともパラメータまたはタイマーは、いくつかの実施形態では、フラクショナルサブシステムのエアインターフェースに関係し得る。スケーリング調整モジュール１１１０はさらに、フラクショナルサブシステムの少なくとも他のパラメータまたは他のタイマーを識別し、少なくとも上記他のパラメータまたは上記他のタイマーに関して調整を控え得る。
【００８７】
いくつかの実施形態では、パラメータはＱｏＳパラメータを含み得る。ＱｏＳパラメータは、少なくともデータレートまたはエンドツーエンド遅延を含み得る。スケーリング調整モジュール１１１０は、スケーリングされたＱｏＳパラメータを生成するために、フラクショナルシステムに関連するスケーリングファクタを使用してＱｏＳパラメータを調整することによって調整を適用し得る。スケーリングモジュール１１１０は、スケーリングされたＱｏＳパラメータに基づいてＱｏＳ構成を基地局とネゴシエートし得る。
【００８８】
送信機モジュール１１１５は、スケーリングされたＱｏＳパラメータに基づいて要求を送信するようにさらに構成され得る。いくつかの実施形態は、スケーリングされたＱｏＳパラメータに基づいて応答を送信することをさらに含み得る。スケーリングされたＱｏＳパラメータは、フラクショナルサブシステムにおけるサブスクライブされたＱｏＳと現在利用可能なＱｏＳのうちのより小さいほうであり得る。いくつかの実施形態では、スケーリング調整モジュール１１１０を通して調整を適用することは、スケーリングされていないＱｏＳ構成を判断するために、スケーリングされたＱｏＳ構成を調整して戻すことと、デバイスがスケーリングされていないＱｏＳ構成を与えられるかどうかを判断することとを含み得る。デバイスがスケーリングされていないＱｏＳ構成を与えられるかどうかを判断するために、１つまたは複数のＱｏＳ構成プロファイルのうちの少なくとも１つが利用され得る。
【００８９】
いくつかの実施形態では、パラメータは、スロットサイクルインデックス、スロットサイクル期間、データレート制御（ＤＲＣ）インデックス、パケットサイズ、またはデータソースチャネル（ＤＳＣ）長を含み得る。いくつかの実施形態では、スケーリング調整モジュール１１１０を用いて調整を適用することは、スケーリングされたスロットサイクル期間を生成するために、フラクショナルシステムに関連するスケーリングファクタを使用してスロットサイクル期間を調整することを含み得る。スケーリング調整モジュール１１１０を用いて調整を適用することは、スケーリングされたスロットサイクルインデックスを生成するために、フラクショナルシステムに関連するスケーリングファクタを使用してスロットサイクルインデックスを調整することを含み得る。スケーリング調整モジュール１１１０を用いて調整を適用することは、スケーリングされたデータレート測定ユニットを生成するために、フラクショナルシステムに関連するスケーリングファクタを使用してデータレート制御（ＤＲＣ）インデックスに関連するデータレート測定ユニットを調整することを含み得る。スケーリング調整モジュール１１１０を用いて調整を適用することは、送信遅延をキャッピングするために、フラクショナルシステムに関連するスケーリングファクタに基づいてスロットパケットの数を調整することを含み得る。スケーリング調整モジュール１１１０を用いて調整を適用することは、逆スケーリングされたデータソースチャネル（ＤＳＣ）長を生成するために、フラクショナルシステムに関連するスケーリングファクタの逆数を使用してＤＳＣ長を調整することを含み得る。いくつかの実施形態は、より高いデータレートクラスまたはプロファイル、および／あるいはより低い遅延クラスまたはプロファイルを要求または利用し得る。場合によっては、より高い（またはより低い）クラスを要求する代わりに、クラスが変更され得る。
【００９０】
いくつかの実施形態では、スケーリング調整モジュール１１１０は、フラクショナルサブシステムの無線アクセス技術（ＲＡＴ）アプリケーションレイヤにおいて調整を適用し得る。いくつかの実施形態では、スケーリング調整モジュール１１１０は、ＭＡＣレイヤを通して調整を適用し得る。
【００９１】
いくつかの実施形態では、送信機モジュール１１１５は、モバイルデバイスがスケーリングされていないＱｏＳパラメータをサポートするサブスクリプションレートを有するかどうかを判断するために、基地局からスケーリングされていないＱｏＳパラメータを送信するようにさらに構成され得る。
【００９２】
図１２は、様々な実施形態による、フラクショナル帯域幅を利用するように構成されたモバイルデバイス１１５−ｄのブロック図１２００である。モバイルデバイス１１５−ｄは、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネットアプライアンス、ゲームコンソール、電子リーダーなど、様々な構成のいずれかを有し得る。モバイルデバイス１１５−ｄは、モバイル動作を可能にするために、小型バッテリーなどの内部電源（図示せず）を有し得る。いくつかの実施形態では、モバイルデバイス１１５−ｄは、図１、図２Ａ、図２Ｂ、図６、図７、図８、図９、図１２、図１３、および／または図１４のモバイルデバイス１１５、ならびに／あるいは図１１のデバイス１１００であり得る。モバイルデバイス１１５−ｄはマルチモードモバイルデバイスであり得る。モバイルデバイス１１５−ｄは、場合によってはワイヤレス通信デバイスと呼ばれることがある。
【００９３】
モバイルデバイス１１５−ｄは、アンテナ１２４０と、トランシーバモジュール１２５０と、メモリ１２８０と、プロセッサモジュール１２７０とを含み得、その各々は、（たとえば、１つまたは複数のバスを介して）互いに直接または間接的に通信していることがある。トランシーバモジュール１２５０は、上記で説明したように、アンテナ１２４０ならびに／あるいは１つまたは複数のワイヤードもしくはワイヤレスリンクを介して、１つまたは複数のネットワークと双方向に通信するように構成される。たとえば、トランシーバモジュール１２５０は、図１、図２Ａ、図２Ｂ、図６、図７、図８、図９、図１３、および／または図１４の基地局１０５と双方向に通信するように構成され得る。トランシーバモジュール１２５０は、パケットを変調し、変調されたパケットを送信のためにアンテナ１２４０に供給し、アンテナ１２４０から受信されたパケットを復調するように構成されたモデムを含み得る。モバイルデバイス１１５−ｄは単一のアンテナを含み得るが、モバイルデバイス１１５−ｄは通常、複数のリンクのための複数のアンテナ１２４０を含む。
【００９４】
メモリ１２８０は、ランダムアクセスメモリ（ＲＡＭ）および読取り専用メモリ（ＲＯＭ）を含み得る。メモリ１２８０は、実行されるとプロセッサモジュール１２７０に本明細書で説明する様々な機能（たとえば、呼処理、データベース管理、メッセージルーティングなど）を実行させるように構成された命令を含んでいるコンピュータ可読、コンピュータ実行可能ソフトウェアコード１２８５を記憶し得る。代替的に、ソフトウェア１２８５は、プロセッサモジュール１２７０によって直接的に実行可能でないことがあるが、（たとえば、コンパイルされ実行されると）コンピュータに本明細書で説明する機能を実行させるように構成され得る。
【００９５】
プロセッサモジュール１２７０は、インテリジェントハードウェアデバイス、たとえば、Ｉｎｔｅｌ（登録商標）ＣｏｒｐｏｒａｔｉｏｎまたはＡＭＤ（登録商標）製のものなどの中央処理ユニット（ＣＰＵ）、マイクロコントローラ、特定用途向け集積回路（ＡＳＩＣ）などを含み得る。プロセッサモジュール１２７０は、マイクロフォンを介してオーディオを受信し、そのオーディオを、受信したオーディオを表す（たとえば、長さ３０ｍｓの）パケットに変換し、そのオーディオパケットをトランシーバモジュール１２５０に供給し、ユーザが話しているかどうかの指示を与えるように構成された音声エンコーダ（図示せず）を含み得る。代替的に、エンコーダはパケットのみをトランシーバモジュール１２５０に供給し、パケット自体の供給または抑制／抑圧が、ユーザが話しているかどうかの指示を与え得る。
【００９６】
図１２のアーキテクチャによれば、モバイルデバイス１１５−ｄは通信管理モジュール１２６０をさらに含み得る。通信管理モジュール１２６０は、他のモバイルデバイス１１５との通信を管理し得る。例として、通信管理モジュール１２６０は、バスを介してモバイルデバイス１１５−ｄの他の構成要素の一部または全部と通信しているモバイルデバイス１１５−ｄの構成要素であり得る。代替的に、通信管理モジュール１２６０の機能は、トランシーバモジュール１２５０の構成要素として、コンピュータプログラム製品として、および／またはプロセッサモジュール１２７０の１つまたは複数のコントローラ要素として実装され得る。
【００９７】
モバイルデバイス１１５−ｄのための構成要素は、図１１中のデバイス１１００に関して上記で説明した態様を実装するように構成され得、簡潔のためにここで繰り返さないことがある。たとえば、スケーリング調整モジュール１１１０ａは、図１１のスケーリング調整モジュール１１１０であり得る。
【００９８】
モバイルデバイス１１５−ｄはまた、スペクトル識別モジュール１２１５を含み得る。スペクトル識別モジュール１２１５は、フラクショナル波形のために利用可能なスペクトルを識別するために利用され得る。いくつかの実施形態では、ハンドオーバモジュール１２２５は、モバイルデバイス１１５−ｄの１つの基地局から別の基地局へのハンドオーバプロシージャを実行するために利用され得る。たとえば、ハンドオーバモジュール１２２５は、モバイルデバイス１１５−ｄの１つの基地局から別の基地局へのハンドオーバプロシージャを実行し得、通常波形がモバイルデバイス１１５−ｄと基地局のうちの１つとの間で利用され、フラクショナル波形がそのモバイルデバイスと別の基地局との間で利用される。ＱｏＳスケーリングモジュール１２２０は、サービス品質に関係するパラメータをスケーリングしおよび／または反転させるために使用され得、いくつかの実施形態では、ＱｏＳスケーリングモジュールは、スケーリング調整モジュール１１１０−ａの一部であり得る。モバイルデバイス１１５−ｄは、スケーリングファクタおよび／またはチップレート調整の使用によってフラクショナル帯域幅を実装するために利用され得るスケーリングモジュール１２１０を含み得る。フラクショナルサブシステムモジュール１２３０も、フラクショナル帯域幅の使用を管理するのを助けるために含まれ得る。
【００９９】
いくつかの実施形態では、モバイルデバイス１１５−ｄの他の可能な構成要素とともにアンテナ１２４０に結合したトランシーバモジュール１２５０は、フラクショナル波形、スケーリングファクタ、および／またはスケーリング調整情報に関する情報をモバイルデバイス１１５−ｄから基地局またはコアネットワークに送信し得る。いくつかの実施形態では、モバイルデバイス１１５−ｄの他の可能な構成要素とともにアンテナ１２４０に結合したトランシーバモジュール１２５０は、フラクショナル波形、スケーリングファクタ、および／またはスケーリング調整情報などの情報を基地局またはコアネットワークに送信し得、それにより、これらのデバイスまたはシステムはフラクショナル波形を利用し得る。
【０１００】
図１３に、様々な実施形態による、フラクショナル帯域幅を利用するために構成され得る通信システム１３００のブロック図を示す。このシステム１３００は、図１に示すシステム１００、図２Ａのシステム２００−ａ、図２Ｂのシステム２００−ｂ、図６のシステム６００、図７のシステム７００、図８のシステム８００、図９のシステム９００、および／または図１４のシステム１４００の態様の一例であり得る。基地局１０５−ｃは、アンテナ１３４５と、トランシーバモジュール１３５０と、メモリ１３７０と、プロセッサモジュール１３６５とを含み得、その各々は、（たとえば、１つまたは複数のバスを介して）互いに直接または間接的に通信していることがある。トランシーバモジュール１３５０は、アンテナ１３４５を介して、マルチモードモバイルデバイスであり得るモバイルデバイス１１５−ｅと双方向に通信するように構成され得る。トランシーバモジュール１３５０（および／または基地局１０５−ｃの他の構成要素）はまた、１つまたは複数のネットワークと双方向に通信するように構成され得る。場合によっては、基地局１０５−ｃは、ネットワーク通信モジュール１３７５を通してネットワーク１３０−ｂおよび／またはコントローラ１２０−ａと通信し得る。基地局１０５−ｃは、ｅノードＢ基地局、ホームｅノードＢ基地局、ノードＢ基地局、および／またはホームノードＢ基地局の一例であり得る。コントローラ１２０−ａは、ｅノードＢ基地局となど、場合によっては基地局１０５−ｃに組み込まれ得る。
【０１０１】
基地局１０５−ｃはまた、基地局１０５−ｍおよび基地局１０５−ｎなど、他の基地局１０５と通信し得る。基地局１０５の各々は、異なる無線アクセス技術など、異なるワイヤレス通信技術を使用してモバイルデバイス１１５−ｅと通信し得る。場合によっては、基地局１０５−ｃは、基地局通信モジュール１３１５を利用して１０５−ｍおよび／または１０５−ｎなどの他の基地局と通信し得る。いくつかの実施形態では、基地局通信モジュール１３１５は、基地局１０５のいくつかの間の通信を行うために、ＬＴＥワイヤレス通信技術内のＸ２インターフェースを与え得る。いくつかの実施形態では、基地局１０５−ｂは、コントローラ１２０−ａおよび／またはネットワーク１３０−ｂを通して他の基地局と通信し得る。
【０１０２】
メモリ１３７０は、ランダムアクセスメモリ（ＲＡＭ）および読取り専用メモリ（ＲＯＭ）を含み得る。メモリ１３７０はまた、実行されるとプロセッサモジュール１３６５に本明細書で説明する様々な機能（たとえば、呼処理、データベース管理、メッセージルーティングなど）を実行させるように構成された命令を含んでいるコンピュータ可読、コンピュータ実行可能ソフトウェアコード１３７１を記憶し得る。代替的に、ソフトウェア１３７１は、プロセッサモジュール１３６５によって直接的に実行可能でないことがあるが、たとえば、コンパイルされ実行されるとき、コンピュータに本明細書で説明する機能を実行させるように構成され得る。
【０１０３】
プロセッサモジュール１３６５は、インテリジェントハードウェアデバイス、たとえば、Ｉｎｔｅｌ（登録商標）ＣｏｒｐｏｒａｔｉｏｎまたはＡＭＤ（登録商標）製のものなどの中央処理ユニット（ＣＰＵ）、マイクロコントローラ、特定用途向け集積回路（ＡＳＩＣ）などを含み得る。プロセッサモジュール１３６５は、マイクロフォンを介してオーディオを受信し、そのオーディオを、受信したオーディオを表す（たとえば、長さ３０ｍｓの）パケットに変換し、そのオーディオパケットをトランシーバモジュール１３５０に供給し、ユーザが話しているかどうかの指示を与えるように構成された音声エンコーダ（図示せず）を含み得る。代替的に、エンコーダはパケットのみをトランシーバモジュール１３５０に供給し、パケット自体の供給または抑制／抑圧が、ユーザが話しているかどうかの指示を与え得る。
【０１０４】
トランシーバモジュール１３５０は、パケットを変調し、変調されたパケットを送信のためにアンテナ１３４５に供給し、アンテナ１３４５から受信されたパケットを復調するように構成されたモデムを含み得る。基地局１０５−ｃのいくつかの例は単一のアンテナ１３４５を含み得るが、基地局１０５−ｃは、好ましくは、キャリアアグリゲーションをサポートし得る複数のリンクのための複数のアンテナ１３４５を含む。たとえば、モバイルデバイス１１５−ｅとのマクロ通信をサポートするために１つまたは複数のリンクが使用され得る。
【０１０５】
図１３のアーキテクチャによれば、基地局１０５−ｃは通信管理モジュール１３３０をさらに含み得る。通信管理モジュール１３３０は、他の基地局１０５との通信を管理し得る。例として、通信管理モジュール１３３０は、バスを介して基地局１０５−ｃの他の構成要素の一部または全部と通信している基地局１０５−ｃの構成要素であり得る。代替的に、通信管理モジュール１３３０の機能は、トランシーバモジュール１３５０の構成要素として、コンピュータプログラム製品として、および／またはプロセッサモジュール１３６５の１つまたは複数のコントローラ要素として実装され得る。
【０１０６】
基地局１０５−ｃのための構成要素は、図１１中のデバイス１１００に関して上記で説明した態様を実装するように構成され得、簡潔のためにここで繰り返さないことがある。たとえば、スケーリング調整モジュール１１１０−ｂは、図１１のスケーリング調整モジュール１１１０であり得る。
【０１０７】
基地局１０５−ｃはまた、スペクトル識別モジュール１３１５を含み得る。スペクトル識別モジュール１３１５は、フラクショナル波形のために利用可能なスペクトルを識別するために利用され得る。いくつかの実施形態では、ハンドオーバモジュール１３２５は、モバイルデバイス１１５−ｅの１つの基地局から別の基地局へのハンドオーバプロシージャを実行するために利用され得る。たとえば、ハンドオーバモジュール１３２５は、モバイルデバイス１１５−ｅの１つの基地局から別の基地局へのハンドオーバプロシージャを実行し得、通常波形がモバイルデバイス１１５−ｅと基地局のうちの１つとの間で利用され、フラクショナル波形がそのモバイルデバイスと別の基地局との間で利用される。ＱｏＳスケーリングモジュール１３２０は、サービス品質に関係するパラメータをスケーリングしおよび／または反転させるために使用され得、いくつかの実施形態では、ＱｏＳスケーリングモジュール１３２０は、スケーリング調整モジュール１１１０−ｂの一部であり得る。基地局１０５−ｃは、スケーリングファクタおよび／またはチップレート調整の使用によってフラクショナル帯域幅を実装するために利用され得るスケーリングモジュール１３１０を含み得る。フラクショナルサブシステムモジュール１３３５も、フラクショナル帯域幅の使用を管理するのを助けるために含まれ得る。
【０１０８】
いくつかの実施形態では、基地局１０５−ｃの他の可能な構成要素とともにアンテナ１３４５に結合したトランシーバモジュール１３５０は、フラクショナル波形および／またはスケーリングファクタに関する情報を、基地局１０５−ｃからモバイルデバイス１１５−ｅに、他の基地局１０５−ｍ／１０５−ｎに、またはコアネットワーク１３０−ｂに送信し得る。いくつかの実施形態では、基地局１０５−ｃの他の可能な構成要素とともにアンテナ１３４５に結合したトランシーバモジュール１３５０は、フラクショナル波形および／またはスケーリングファクタなどの情報をモバイルデバイス１１５−ｅに、他の基地局１０５−ｍ／１０５−ｎに、またはコアネットワーク１３０−ｂに送信し得、それにより、これらのデバイスまたはシステムはフラクショナル波形を利用し得る。
【０１０９】
図１４は、様々な実施形態による、基地局１０５−ｄとモバイルデバイス１１５−ｆとを含むシステム１４００のブロック図である。このシステム１４００は、図１に示すシステム１００、図２Ａのシステム２００−ａ、図２Ｂのシステム２００−ｂ、図６のシステム６００、図７のシステム７００、図８のシステム８００、図９のシステム９００、および／または図１３のシステム１３００の一例であり得る。基地局１０５−ｄはアンテナ１４３４−ａ〜１４３４−ｘを装備し得、モバイルデバイス１１５−ｆはアンテナ１４５２−ａ〜１４５２−ｎを装備し得る。基地局１０５−ｄにおいて、送信機プロセッサ１４２０がデータソースからデータを受信し得る。
【０１１０】
送信機プロセッサ１４２０はデータを処理し得る。送信機プロセッサ１４２０はまた、基準シンボルとセル固有基準信号とを生成し得る。送信（ＴＸ）ＭＩＭＯプロセッサ１４３０が、適用可能な場合、データシンボル、制御シンボル、および／または基準シンボルに対して空間処理（たとえば、プリコーディング）を実行し得、出力シンボルストリームを送信変調器１４３２−ａ〜１４３２−ｘに与え得る。各変調器１４３２は、（たとえば、ＯＦＤＭなどのために）それぞれの出力シンボルストリームを処理して、出力サンプルストリームを取得し得る。各変調器１４３２はさらに、出力サンプルストリームを処理（たとえば、アナログへの変換、増幅、フィルタ処理、およびアップコンバート）して、ダウンリンク信号（ＤＬ）を取得し得る。一例では、変調器１４３２−ａ〜１４３２−ｘからのＤＬ信号は、それぞれアンテナ１４３４−ａ〜１４３４−ｘを介して送信され得る。送信機プロセッサ１４２０は、フラクショナル帯域幅モジュール１４４０から情報を受信し得る。フラクショナル帯域幅モジュール１４４０は、システム１４００のフラクショナルサブシステムのためのスケーリングファクタを識別するように構成され得る。フラクショナル帯域幅モジュール１４４０は、システム１４００のフラクショナルサブシステムに関連するパラメータおよび／またはタイマーを識別するように構成され得る。フラクショナル帯域幅モジュール１４４０は、スケーリングファクタに基づいてパラメータおよび／またはタイマーに関連する調整を判断し得る。フラクショナル帯域幅モジュール１４４０は、少なくとも、フラクショナルサブシステムの一部分またはワイヤレス通信システムの別の部分のために、パラメータおよび／またはタイマーに関して調整を適用し得る。いくつかの実施形態では、フラクショナル帯域幅モジュール１４４０は、一般的なプロセッサ、送信機プロセッサ１４２０、および／または受信プロセッサ１４３８の一部として実装され得る。
【０１１１】
モバイルデバイス１１５−ｆにおいて、モバイルデバイスアンテナ１４５２−ａ〜１４５２−ｎは、基地局１０５−ｄからＤＬ信号を受信し、受信した信号をそれぞれ復調器１４５４−ａ〜１４５４−ｎに与え得る。各復調器１４５４は、それぞれの受信信号を調整（たとえば、フィルタ処理、増幅、ダウンコンバート、およびデジタル化）して、入力サンプルを取得し得る。各復調器１４５４はさらに、（たとえば、ＯＦＤＭなどの）入力サンプルを処理して受信シンボルを取得し得る。ＭＩＭＯ検出器１４５６は、すべての復調器１４５４−ａ〜１４５４−ｎから受信シンボルを取得し、適用可能な場合は受信シンボルに対してＭＩＭＯ検出を実行し、検出されたシンボルを与え得る。受信側プロセッサ１４５８が、検出されたシンボルを処理（たとえば、復調、デインターリーブ、および復号）し、モバイルデバイス１１５−ｆの復号されたデータをデータ出力に与え、復号された制御情報をプロセッサ１４８０、またはメモリ１４８２に与え得る。
【０１１２】
アップリンク（ＵＬ）上で、モバイルデバイス１１５−ｆにおいて、送信機プロセッサ１４６４がデータソースからデータを受信し、処理し得る。送信機プロセッサ１４６４はまた、基準信号のための基準シンボルを生成し得る。送信機プロセッサ１４６４からのシンボルは、適用可能な場合に送信ＭＩＭＯプロセッサ１４６６によってプリコーディングされ、さらに（たとえば、ＳＣ−ＦＤＭＡなどのために）復調器１４５４−ａ〜１４５４−ｎによって処理され、基地局１０５−ｄから受信した送信パラメータに従って基地局１０５−ｄに送信され得る。送信機プロセッサ１４６４は、１つのサブシステムの１つまたは複数の態様をシステム１４００内の別のサブシステムの１つまたは複数の態様に関係付けるためにスケーリングファクタを利用するように構成され得る。送信機プロセッサ１４６４はまた、スケーリングファクタを利用することを通してフラクショナル波形を生成するように構成され得る。送信機プロセッサ１４６４はまた、フラクショナル帯域幅モジュール１４８０から情報を受信し得る。フラクショナル帯域幅モジュール１４８０は、システム１４００のフラクショナルサブシステムのためのスケーリングファクタを識別するように構成され得る。フラクショナル帯域幅モジュール１４８０は、システム１４００のフラクショナルサブシステムに関連するパラメータおよび／またはタイマーを識別するように構成され得る。フラクショナル帯域幅モジュール１４８０は、スケーリングファクタに基づいてパラメータおよび／またはタイマーに関連する調整を判断し得る。フラクショナル帯域幅モジュール１４８０は、少なくとも、フラクショナルサブシステムの一部分またはワイヤレス通信システムの別の部分のために、パラメータおよび／またはタイマーに関して調整を適用し得る。基地局１０５−ｄにおいて、モバイルデバイス１１５−ｆからのＵＬ信号は、アンテナ１４３４によって受信され、復調器１４３２によって処理され、適用可能な場合はＭＩＭＯ検出器１４３６によって検出され、さらに受信プロセッサによって処理され得る。受信プロセッサ１４３８は、復号されたデータをデータ出力とフラクショナル帯域幅モジュール１４８０とに与え得る。いくつかの実施形態では、フラクショナル帯域幅モジュール１４８０は、一般的なプロセッサ、送信機プロセッサ１４６４、および／または受信プロセッサ１４５８の一部として実装され得る。
【０１１３】
図１５を参照すると、様々な実施形態による、ワイヤレス通信システムにおけるフラクショナルサブシステムに関するスケーリング調整のための方法１５００の流れ図が与えられている。方法１５００は、限定はしないが、図１、図２Ａ、図２Ｂ、図６、図７、図８、図９、図１２、図１３、および／または図１４に見られるようなモバイルデバイス１１５、図１、図２Ａ、図２Ｂ、図６、図７、図８、図９、図１３、および／または図１４に見られるような基地局１０５、図１、図６、図７、図８、図９、および／または図１３に見られるようなコアネットワーク１３０またはコントローラ１２０、ならびに／あるいは図１１のデバイス１１００を含む、様々なワイヤレス通信デバイスを利用して実装され得る。
【０１１４】
ブロック１５０５において、フラクショナルサブシステムのためのスケーリングファクタを識別する。ブロック１５１０において、フラクショナルサブシステムに関連する少なくともパラメータまたはタイマーを識別する。ブロック１５１５において、スケーリングファクタに基づいて少なくともパラメータまたはタイマーに関連する調整を判断する。ブロック１５２０において、少なくとも、フラクショナルサブシステムの一部分またはワイヤレス通信システムの別の部分のために、少なくともパラメータまたはタイマーに関して調整を適用する。
【０１１５】
少なくとも識別されたパラメータまたはタイマーに関して調整を適用することは、識別されたパラメータのタイムストレッチングを補償し得る。調整を適用することは、少なくとも識別されたパラメータまたはタイマーを逆スケーリングすることを含み得る。
【０１１６】
方法１５００のいくつかの実施形態は、スケーリングファクタを利用してフラクショナルサブシステムに関連する少なくともパラメータまたはタイマーをスケーリングすることをさらに含み得る。少なくともパラメータまたはタイマーは、いくつかの実施形態では、フラクショナルサブシステムのエアインターフェースに関係する。いくつかの実施形態は、フラクショナルサブシステムの少なくとも他のパラメータまたは他のタイマーを識別することと、少なくとも上記他のパラメータまたは上記他のタイマーに関して調整を控えることとをさらに含み得る。
【０１１７】
いくつかの実施形態では、パラメータはＱｏＳパラメータを含む。ＱｏＳパラメータは、少なくともデータレートまたはエンドツーエンド遅延を含み得る。調整を適用することは、スケーリングされたＱｏＳパラメータを生成するために、フラクショナルシステムに関連するスケーリングファクタを使用してＱｏＳパラメータを調整することを含み得る。いくつかの実施形態は、スケーリングされたＱｏＳパラメータに基づいてＱｏＳ構成を基地局とネゴシエートすることをさらに含み得る。
【０１１８】
いくつかの実施形態は、スケーリングされたＱｏＳパラメータに基づいて要求を送信することをさらに含み得る。いくつかの実施形態は、スケーリングされたＱｏＳパラメータに基づいて応答を送信することをさらに含み得る。スケーリングされたＱｏＳパラメータは、フラクショナルサブシステムにおけるサブスクライブされたＱｏＳと現在利用可能なＱｏＳのうちのより小さいほうであり得る。
【０１１９】
調整を適用することは、フラクショナルサブシステムの無線アクセス技術（ＲＡＴ）アプリケーションレイヤにおいて行われ得る。調整を適用することは、ＭＡＣレイヤにおいて行われ得る。
【０１２０】
いくつかの実施形態は、モバイルデバイスがスケーリングされていないＱｏＳパラメータをサポートするサブスクリプションレートを有するかどうかを判断するために、基地局からスケーリングされていないＱｏＳパラメータを送信することをさらに含み得る。
【０１２１】
いくつかの実施形態では、調整を適用することは、スケーリングされていないＱｏＳ構成を判断するために、スケーリングされたＱｏＳ構成を調整して戻すことと、デバイスがスケーリングされていないＱｏＳ構成を与えられるかどうかを判断することとを含み得る。デバイスがスケーリングされていないＱｏＳ構成を与えられるかどうかを判断するために、１つまたは複数のＱｏＳ構成プロファイルのうちの少なくとも１つが利用され得る。
【０１２２】
いくつかの実施形態では、パラメータは、少なくともスロットサイクルインデックス、スロットサイクル期間、データレート制御（ＤＲＣ）インデックス、パケットサイズ、またはデータソースチャネル（ＤＳＣ）長を含み得る。いくつかの実施形態では、調整を適用することは、スケーリングされたスロットサイクル期間を生成するために、フラクショナルシステムに関連するスケーリングファクタを使用してスロットサイクル期間を調整することを備える。調整を適用することは、スケーリングされたスロットサイクルインデックスを生成するために、フラクショナルシステムに関連するスケーリングファクタを使用してスロットサイクルインデックスを調整することを含み得る。調整を適用することは、スケーリングされたデータレート測定ユニットを生成するために、フラクショナルシステムに関連するスケーリングファクタを使用してＤＲＣインデックスに関連するデータレート測定ユニットを調整することを含み得る。調整を適用することは、送信遅延をキャッピングするために、フラクショナルシステムに関連するスケーリングファクタに基づいてスロットパケットの数を調整することを含み得る。調整を適用することは、逆スケーリングされたデータソースチャネル（ＤＳＣ）長を生成するために、フラクショナルシステムに関連するスケーリングファクタの逆数を使用してＤＳＣ長を調整することを備える。
【０１２３】
方法１５００は、いくつかの実施形態ではモバイルデバイスによって実行され得る。方法１５００は、いくつかの実施形態では少なくとも基地局またはコアネットワークによって実行され得る。
【０１２４】
図１６を参照すると、様々な実施形態による、ワイヤレス通信システムにおけるフラクショナルサブシステムに関するサービス品質（ＱｏＳ）を実装するための方法１６００の流れ図が与えられている。方法１６００は、限定はしないが、図１、図２Ａ、図２Ｂ、図６、図７、図８、図９、図１２、図１３、および／または図１４に見られるようなモバイルデバイス１１５、図１、図２Ａ、図２Ｂ、図６、図７、図８、図９、図１３、および／または図１４に見られるような基地局１０５、図１、図６、図７、図８、図９、および／または図１３に見られるようなコアネットワーク１３０またはコントローラ１２０、ならびに／あるいは図１１のデバイス１１００を含む、様々なワイヤレス通信デバイスを利用して実装され得る。方法１６００は、図１５の方法１５００の態様を含み、および／またはそれを表し得る。
【０１２５】
ブロック１６０５において、モバイルデバイスからスケーリングされたまたは調整されたＱｏＳ構成を受信する。ブロック１６１０において、スケーリングされていないまたは調整されていないＱｏＳ構成を判断するために、スケーリングされたまたは調整されたＱｏＳ構成をスケールバックするかまたは調整して戻す。ブロック１６１５において、モバイルデバイスがスケーリングされていないまたは調整されていないＱｏＳ構成を与えられるかどうかを判断する。
【０１２６】
いくつかの実施形態では、１つまたは複数のＱｏＳ構成プロファイルが生成され得る。各ＱｏＳ構成プロファイルは、スケーリングされたまたは調整されたＱｏＳパラメータをスケーリングされていないまたは調整されていないＱｏＳパラメータに関係付け得る。モバイルデバイスがスケーリングされていないＱｏＳ構成を与えられるかどうかを判断するために、１つまたは複数のＱｏＳ構成プロファイルのうちの少なくとも１つが利用され得る。方法１６００は、いくつかの実施形態では基地局において実装され得る。
【０１２７】
図１７を参照すると、様々な実施形態による、ワイヤレス通信システムにおけるフラクショナルサブシステムに関するサービス品質（ＱｏＳ）を実装するための方法１７００の流れ図が与えられている。方法１７００は、限定はしないが、図１、図２Ａ、図２Ｂ、図６、図７、図８、図９、図１２、図１３、および／または図１４に見られるようなモバイルデバイス１１５、図１、図２Ａ、図２Ｂ、図６、図７、図８、図９、図１３、および／または図１４に見られるような基地局１０５、図１、図６、図７、図８、図９、および／または図１３に見られるようなコアネットワーク１３０またはコントローラ１２０、ならびに／あるいは図１１のデバイス１１００を含む、様々なワイヤレス通信デバイスを利用して実装され得る。方法１７００は、図１５の方法１５００の態様を含み、および／またはそれを表し得る。
【０１２８】
ブロック１７０５において、ＱｏＳ要求を受信する。いくつかの実施形態では、ＱｏＳはコアネットワークから受信され得、ＱｏＳ要求は基地局において受信され得る。ブロック１７１０において、ＱｏＳ要求がフラクショナル帯域幅サブシステムの利用可能なＱｏＳを超えるかどうかを判断する。ブロック１７１５において、上記判断に基づいてＱｏＳ応答を送信する。ＱｏＳ応答は、いくつかの実施形態では基地局からコアネットワークに送信され得る。方法１６００では、ＱｏＳ応答を送信することは、少なくとも利用可能なＱｏＳまたは要求されたＱｏＳを送信することを含み得る。
【０１２９】
添付の図面に関して上記に記載した詳細な説明は、例示的な実施形態について説明しており、実装され得るまたは特許請求の範囲内に入る実施形態のみを表すものではない。この説明全体にわたって使用する「例示的」という用語は、「例、事例、または例示の働きをすること」を意味し、「好ましい」または「他の実施形態よりも有利な」を意味しない。詳細な説明は、説明した技法の理解を与えるために、具体的な詳細を含む。ただし、これらの技法は、これらの具体的な詳細なしに実施され得る。場合によっては、説明した実施形態の概念を不明瞭にしないように、よく知られている構造およびデバイスがブロック図の形態で示される。
【０１３０】
情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１３１】
本明細書の開示に関して説明した様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサは、コンピューティングデバイスの組合せ、たとえばＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【０１３２】
本明細書で説明した機能は、ハードウェア、プロセッサによって実行されるソフトウェア、ファームウェア、またはそれらの組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態は、本開示および添付の特許請求の範囲および趣旨内に入る。たとえば、ソフトウェアの性質により、上記で説明した機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理ロケーションにおいて実装されるように分散されることを含めて、様々な位置に物理的に配置され得る。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙がＡまたはＢまたはＣまたはＡＢまたはＡＣまたはＢＣまたはＡＢＣ（すなわち、ＡおよびＢおよびＣ）を意味するような、選言的列挙を示す。
【０１３３】
コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれる。
【０１３４】
本開示についての以上の説明は、当業者が本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。本開示全体にわたって、「例」または「例示的」という用語は、一例または一事例を示すものであり、言及した例についての選好を暗示せず、または必要としない。したがって、本開示は、本明細書で説明した例および設計に限定されるべきでなく、本明細書で開示する原理および新規の特徴に合致する最も広い範囲を与えられるべきである。
【図１】
2014533062.tif 000004
【図２Ａ】
2014533062.tif 000005
【図２Ｂ】
2014533062.tif 000006
【図３】
2014533062.tif 000007
【図４Ａ】
2014533062.tif 000008
【図４Ｂ】
2014533062.tif 000009
【図４Ｃ】
2014533062.tif 000010
【図５】
2014533062.tif 000011
【図６】
2014533062.tif 000012
【図７】
2014533062.tif 000013
【図８】
2014533062.tif 000014
【図９】
2014533062.tif 000015
【図１０Ａ】
2014533062.tif 000016
【図１０Ｂ】
2014533062.tif 000017
【図１０Ｃ】
2014533062.tif 000018
【図１１】
2014533062.tif 000019
【図１２】
2014533062.tif 000020
【図１３】
2014533062.tif 000021
【図１４】
2014533062.tif 000022
【図１５】
2014533062.tif 000023
【図１６】
2014533062.tif 000024
【図１７】
2014533062.tif 000025
【国際調査報告】
2014533062.tif 000026
2014533062.tif 000027